(57)【要約】  Ｄ２Ｄ通信をサポートする無線通信システムにおけるユーザ装置であって、外部同期ソースの信号、基地局から送信された同期信号、又は他のユーザ装置から送信された同期信号を受信する受信部と、同期に用いる信号の優先順位を示す優先度情報に従い、前記受信部で受信された外部同期ソースの信号、前記基地局から送信された同期信号、又は前記他のユーザ装置から送信された同期信号のうちいずれか１つを用いて無線フレーム及び周波数の同期を行う同期処理部と、を有するユーザ装置を提供する。
2017026518.tif 000002
【特許請求の範囲】
【請求項１】
Ｄ２Ｄ通信をサポートする無線通信システムにおけるユーザ装置であって、
外部同期ソースの信号、基地局から送信された同期信号、又は他のユーザ装置から送信された同期信号を受信する受信部と、
同期に用いる信号の優先順位を示す優先度情報に従い、前記受信部で受信された外部同期ソースの信号、前記基地局から送信された同期信号、又は前記他のユーザ装置から送信された同期信号のうちいずれか１つを用いて無線フレーム及び周波数の同期を行う同期処理部と、
を有するユーザ装置。
【請求項２】
Ｄ２Ｄ信号を送信する送信部であって、前記受信部により受信された前記他のユーザ装置からの同期信号が外部同期ソースの信号又は前記基地局から送信された同期信号とは同期されていないことを示す同期信号であり、かつ、前記同期処理部が前記受信部で受信された外部同期ソースの信号又は前記基地局から送信された同期信号のいずれか１つを用いて無線フレーム及び周波数の同期を行っている場合、外部同期ソースの信号又は前記基地局から送信された同期信号と同期されていることを示す同期信号を送信する送信部、
を有する、請求項１に記載のユーザ装置。
【請求項３】
前記送信部は、当該ユーザ装置の種別がＲＳＵである場合に同期信号を送信し、当該ユーザ装置の種別がＲＳＵ以外である場合は同期信号を送信しない、請求項２に記載のユーザ装置。
【請求項４】
前記送信部は、外部同期ソースの信号に含まれる時刻と、Ｄ２Ｄ信号を送信可能な無線リソースのうちＲＳＵがＤ２Ｄ信号を送信可能な第一の期間及びＲＳＵ以外のユーザ装置がＤ２Ｄ信号を送信可能な第二の期間とを対応づける無線リソース割当情報に基づき、当該ユーザ装置の種別がＲＳＵである場合は前記第一の期間でＤ２Ｄ信号を送信し、当該ユーザ装置の種別がＲＳＵ以外である場合は前記第二の期間でＤ２Ｄ信号を送信する、請求項２又は３に記載のユーザ装置。
【請求項５】
前記受信部は、複数のセルごとに送信される複数の同期信号を受信し、
前記同期処理部は、前記複数のセルのうち、無線フレーム及び周波数の同期に用いることが許可されているセルで送信される同期信号を用いて無線フレーム及び周波数の同期を行う、請求項１乃至４のいずれか一項に記載のユーザ装置。
【請求項６】
前記同期処理部は、外部同期ソースの信号を用いた無線フレーム及び周波数の同期を行うことが許可されている場合に外部同期ソースの信号を用いた無線フレーム及び周波数の同期を行う、請求項１乃至５のいずれか一項に記載のユーザ装置。
【請求項７】
Ｄ２Ｄ通信をサポートする無線通信システムにおけるユーザ装置であって、
外部同期ソースの信号、基地局から送信された同期信号、又は他のユーザ装置から送信された複数の種別の同期信号を受信する受信部と、
前記基地局のカバレッジ内では、前記基地局からの指示に基づいて、前記受信部で受信された外部同期ソースの信号又は基地局から送信された同期信号を用いて無線フレーム及び周波数の同期を行い、前記外部同期ソースのエリア外及び前記基地局のカバレッジ外では、前記複数の種別の同期信号の優先順位を示す優先度情報に従い、前記受信部で受信された複数の種別の同期信号のうち、優先度の高い種別の同期信号を用いて無線フレーム及び周波数の同期を行う同期処理部と、
を有するユーザ装置。
【請求項８】
他のユーザ装置に向けて同期信号を送信する送信部を有し、
前記送信部は、前記同期処理部が外部同期ソースの信号と同期している場合は、外部同期ソースに対応する優先順位の同期信号を送信し、前記同期処理部が基地局から送信された同期信号の信号と同期している場合は、基地局から送信された同期信号に対応する優先順位の同期信号を送信する、請求項７に記載のユーザ装置。
【請求項９】
Ｄ２Ｄ通信をサポートする無線通信システムにおけるユーザ装置が行う信号同期方法であって、
外部同期ソースの信号、基地局から送信された同期信号、又は他のユーザ装置から送信された同期信号を受信する受信ステップと、
同期に用いる信号の優先順位を示す優先度情報に従い、外部同期ソースの信号、前記基地局から送信された同期信号、又は前記他のユーザ装置から送信された同期信号のうちいずれか１つを用いて無線フレーム及び周波数の同期を行う同期ステップと、
を有する信号同期方法。
【発明の詳細な説明】
【技術分野】
【０００１】
本発明は、ユーザ装置及び信号同期方法に関する。
【背景技術】
【０００２】
ＬＴＥ（Long Term Evolution）及びＬＴＥの後継システム（例えば、ＬＴＥ−Ａ（LTE-Advanced）、ＦＲＡ（Future Radio Access）、４Ｇなどともいう）では、ユーザ端末同士が無線基地局を介さないで直接通信を行うＤ２Ｄ（Device to Device）技術が検討されている（例えば、非特許文献１）。【０００３】
Ｄ２Ｄは、ユーザ装置と基地局との間のトラヒックを軽減したり、災害時などに基地局が通信不能になった場合でもユーザ装置間の通信を可能とする。【０００４】
Ｄ２Ｄは、通信可能な他のユーザ端末を見つけ出すためのＤ２Ｄディスカバリ（D2D discovery、Ｄ２Ｄ発見ともいう）と、端末間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。【０００５】
また、３ＧＰＰ（3rd Generation Partnership Project）では、Ｄ２Ｄ機能を拡張することでＶ２Ｘを実現することが検討されている。ここで、Ｖ２Ｘとは、ＩＴＳ（Intelligent Transport Systems）の一部であり、図１に示すように、自動車と自動車との間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure：路車間通信）、自動車とドライバーのモバイル端末との間で行われる通信形態を意味するＶ２Ｎ（Vehicle to Nomadic device：端車間通信）、及び、自動車と歩行者のモバイル端末との間で行われる通信形態を意味するＶ２Ｐ（Vehicle to Pedestrian：歩行者間通信）の総称である。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【発明の概要】
【発明が解決しようとする課題】
【０００７】
Ｖ２Ｘにおいて主に自動車に搭載されるユーザ装置の場合、例えば高精度なＧＰＳ受信機を搭載可能であり、常時ＧＰＳ信号を受信することに伴うバッテリー消費はそれほど問題にならないことが多いと考えられる。【０００８】
また、ユーザ装置は、基地局又は他のユーザ装置と通信を行うために無線フレーム及び周波数を基地局及び他のユーザ装置と同期させる必要があるが、主にカバレッジ外に存在するユーザ装置同士がＤ２Ｄ通信を行う場合、ユーザ装置内のクロックを用いて同期処理を行う必要があるため、同期精度が低くなってしまう。【０００９】
そこで、仮にＧＰＳ信号に代表される衛星測位システム等の外部同期ソースを使用して同期処理を行うことができれば、カバレッジ外で外部同期ソースを使用することで同期精度の向上を図ることが可能になる。また、カバレッジ内であっても、外部同期ソースを用いることで同期精度の向上を図ることが可能になる。【００１０】
しかしながら、従来のＤ２Ｄでは、ユーザ装置において、Ｄ２Ｄで規定されている同期信号以外の外部同期ソースを用いて同期処理を行う技術は規定されていない。【００１１】
開示の技術は上記に鑑みてなされたものであって、Ｄ２Ｄ通信において外部同期ソースを用いた同期処理を可能にする技術を提供することを目的とする。
【課題を解決するための手段】
【００１２】
開示の技術のユーザ装置は、Ｄ２Ｄ通信をサポートする無線通信システムにおけるユーザ装置であって、外部同期ソースの信号、基地局から送信された同期信号、又は他のユーザ装置から送信された同期信号を受信する受信部と、同期に用いる信号の優先順位を示す優先度情報に従い、前記受信部で受信された外部同期ソースの信号、前記基地局から送信された同期信号、又は前記他のユーザ装置から送信された同期信号のうちいずれか１つを用いて無線フレーム及び周波数の同期を行う同期処理部と、を有する。
【発明の効果】
【００１３】
開示の技術によれば、Ｄ２Ｄ通信において外部同期ソースを用いた同期処理を可能にする技術が提供される。
【図面の簡単な説明】
【００１４】
【図１】Ｖ２Ｘを説明するための図である。
【図２】実施の形態に係る無線通信システムの構成例を示す図である。
【図３Ａ】Ｄ２Ｄで規定されている物理チャネルを説明するための図である。
【図３Ｂ】Ｄ２Ｄで規定されている物理チャネルを説明するための図である。
【図４】従来のＤ２ＤにおけるＳＬＳＳ送信トリガを説明するためのフローチャートである。
【図５】実施の形態に係る同期処理の一例を示すフローチャートである。
【図６】優先度情報の一例を示す図である。
【図７】実施の形態に係るＳＬＳＳ送信トリガの一例を示すフローチャートである。
【図８】実施の形態に係る無線通信システムの動作例を示すシーケンス図である。
【図９】ＵＴＣを用いた無線リソース割当て方法の一例を示す図である。
【図１０Ａ】ＳＬＳＳ（ＧＰＳ  ｓｙｎｃ．）の変形例を説明するための図である。
【図１０Ｂ】ＳＬＳＳ（ＧＰＳ  ｓｙｎｃ．）の変形例を説明するための図である。
【図１１】ＲＳＵから送信されるＳＬＳＳの優先度が規定された優先度情報の一例を示す図である。
【図１２Ａ】複数の周波数バンドが存在する場合の同期処理を説明するための図である。
【図１２Ｂ】複数の周波数バンドが存在する場合の同期処理を説明するための図である。
【図１３】優先度情報の一例を示す図である。
【図１４Ａ】同期ソースとＳＬＳＳとの対応関係の一例を示す図である。
【図１４Ｂ】同期ソースとＳＬＳＳとの対応関係の一例を示す図である。
【図１４Ｃ】同期ソースとＳＬＳＳとの対応関係の一例を示す図である。
【図１５Ａ】同期ソースとＳＬＳＳとの対応関係の一例を示す図である。
【図１５Ｂ】同期ソースとＳＬＳＳとの対応関係の一例を示す図である。
【図１５Ｃ】同期ソースとＳＬＳＳとの対応関係の一例を示す図である。
【図１５Ｄ】同期ソースとＳＬＳＳとの対応関係の一例を示す図である。
【図１６Ａ】同期ソースとＳＬＳＳとの対応関係の一例を示す図である。
【図１６Ｂ】同期ソースとＳＬＳＳとの対応関係の一例を示す図である。
【図１６Ｃ】同期ソースとＳＬＳＳとの対応関係の一例を示す図である。
【図１６Ｄ】同期ソースとＳＬＳＳとの対応関係の一例を示す図である。
【図１７Ａ】同期ソースとＳＬＳＳとの対応関係の一例を示す図である。
【図１７Ｂ】同期ソースとＳＬＳＳとの対応関係の一例を示す図である。
【図１７Ｃ】同期ソースとＳＬＳＳとの対応関係の一例を示す図である。
【図１７Ｄ】同期ソースとＳＬＳＳとの対応関係の一例を示す図である。
【図１７Ｅ】同期ソースとＳＬＳＳとの対応関係の一例を示す図である。
【図１８】同期ソースとＳＬＳＳとの対応関係の一例を示す図である。
【図１９Ａ】優先度情報の一例を示す図である。
【図１９Ｂ】優先度情報の一例を示す図である。
【図２０Ａ】ＳＬＳＳが送信されるサブフレームの一例を示す図である。
【図２０Ｂ】ＳＬＳＳが送信されるサブフレームの一例を示す図である。
【図２１】実施の形態に係るユーザ装置の機能構成の一例を示す図である。
【図２２】実施の形態に係る基地局の機能構成の一例を示す図である。
【図２３】実施の形態に係るユーザ装置のハードウェア構成の一例を示す図である。
【図２４】実施の形態に係る基地局のハードウェア構成の一例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
なお、以下の説明では、外部同期ソースとしてＧＰＳが用いられる場合を例に記載するが、本実施の形態は、ＧＰＳに限られず、ラジオ、テレビ、又はＷｉＦｉ（登録商標）等を外部同期ソースに利用する場合にも適用することができる。また、ＧＰＳはＧＮＳＳ（Global Navigation Satellite System）と同義である意味で使用する。
【００１７】
＜概要＞
図２に示すように、本実施の形態における無線通信システムは、ＧＰＳ衛星１と、基地局ｅＮＢと、ユーザ装置ＵＥａ〜ＵＥｅとを有する。
【００１８】
基地局ｅＮＢは、ユーザ装置ＵＥに向けて同期信号（ＳＳ：Synchronization Signal）を送信する。ＳＳは、より具体的にはＰＳＳ（Primary Synchronization Signal）及びＳＳＳ（Secondary Synchronization Signal）である。
【００１９】
ＧＰＳ衛星１はＧＰＳ信号を地上に向けて送信している。ＧＰＳ信号にはＵＴＣ（Coordinated Universal Time）を特定する情報が含まれている。
【００２０】
ユーザ装置ＵＥａ〜ＵＥｅは、互いにＤ２Ｄ通信を行う機能を有している。なお、以下の説明において、ユーザ装置（ＵＥａ〜ＵＥｅ）のうち任意のユーザ装置を「ユーザ装置ＵＥ」と呼ぶ。
【００２１】
ここで、従来のＤ２Ｄ通信について説明する。Ｄ２Ｄ通信では、ユーザ装置ＵＥから基地局ｅＮＢへの上り信号送信のリソースとして既に規定されている上りリソースの一部が利用され、カバレッジ内では、基地局ｅＮＢが送信するＳＳに同期してＤ２Ｄ信号の送受信が行われる。
【００２２】
更に、カバレッジ外におけるＤ２Ｄ通信を実現するため、ユーザ装置ＵＥは、所定の条件を満たす場合に同期信号（ＳＬＳＳ：SideLink Synchronization Signal）を送信（リレー）することが規定されている。ＳＬＳＳは、より具体的にはＰＳＳＳ（Primary Sidelink Synchronization Signal）及びＳＳＳＳ（Secondary Sidelink Synchronization Signal）である。また、ＳＬＳＳを送信するユーザ装置ＵＥは、ＰＳＢＣＨ（Physical Sidelink Broadcast Control Channel）と呼ばれる物理チャネルを用いて、カバレッジ外に存在するユーザ装置ＵＥに無線フレーム番号（ＤＦＮ：Direct Frame Number）、システム帯域幅等を通知することができる。
【００２３】
カバレッジ内に存在するユーザ装置ＵＥは、基地局ｅＮＢの同期タイミングに基づいてＳＬＳＳを送信（リレー）することで、カバレッジ外に存在するユーザ装置ＵＥも基地局ｅＮＢの同期タイミングに従ってＤ２Ｄ通信を行うことが可能になる。また、カバレッジ外で孤立しているユーザ装置ＵＥ（ＳＳ及びＳＬＳＳと同期していないユーザ装置ＵＥ）は、他のユーザ装置ＵＥとの間で同期タイミングを揃えるためにユーザ装置ＵＥ自身に内蔵されている発振器で生成されるクロックに基づいてＳＬＳＳを送信する。
【００２４】
次に、Ｄ２Ｄで規定されているＳＬＳＳ及びＰＳＢＣＨについて説明する。図３Ａは、Ｄ２Ｄにおける物理チャネル全体の構成を示している。図３Ｂは、ＳＬＳＳ（ＰＳＳＳ／ＳＳＳＳ）及びＰＳＢＣＨの具体的な構成を示している。
【００２５】
図３Ｂに示すように、Ｄ２Ｄでは、周波数帯域の中心の６ＰＢＲ（Physical Resource Block）において、１サブフレーム内の所定のＳＣ−ＦＤＭＡシンボルにＰＳＳＳ及びＳＳＳＳがマッピングされ、ＰＳＳＳ、ＳＳＳＳ及びＤＭ−ＲＳ（Demodulation-Reference Signal）を除くＳＣ−ＦＤＭＡシンボルにＰＳＢＣＨがマッピングされる。また、図３Ａに示すように、ＰＳＳＳ、ＳＳＳＳ及びＰＳＢＣＨは４０ｍｓ間隔で送信される。なお、図３ＡにおいてＰＳＤＣＨ（Physical Sidelink Discovery Channel）は「Ｄ２Ｄディスカバリ」に用いられる物理チャネルであり、ＰＳＣＣＨ（Physical Sidelink Control Channel）は「Ｄ２Ｄコミュニケーション」におけるＳＣＩ等の制御情報を送信する物理チャネルであり、ＰＳＳＣＨ（Physical Sidelink Shared Channel）は「Ｄ２Ｄコミュニケーション」におけるデータを送信する物理チャネルである。
【００２６】
また、従来のＤ２Ｄでは、カバレッジ内及びカバレッジ周辺（Partial coverage）で送信されるＳＬＳＳとカバレッジ外で送信されるＳＬＳＳの２種類が規定されている。カバレッジ内及びカバレッジ周辺で送信されるＰＳＳＳはルートインデックスが「２６」であるＺａｄｏｆｆ−Ｃｈｕ系列であり、ＰＳＳＳ及びＳＳＳＳで０〜１６７の範囲のＳＬＩＤ（Sidelink ID）が特定される。カバレッジ外で送信されるＰＳＳＳはルートインデックスが「３７」であるＺａｄｏｆｆ−Ｃｈｕ系列であり、ＰＳＳＳ及びＳＳＳＳで１６８〜３５５の範囲のＳＬＩＤ（Sidelink ID）が特定される。ＳＬＩＤは、ＳＬＳＳ  ＩＤとも呼ばれる。更に、ＰＳＢＣＨにはＩｎ−ｃｏｖｅｒａｇｅ  ｉｎｄｉｃａｔｏｒと呼ばれる識別子が格納されており、カバレッジ内では「１（ＴＲＵＥ）」に設定され、カバレッジ外（カバレッジ周辺を含む）では「０（ＦＡＬＳＥ）」に設定される。ＳＬＩＤ及びＩｎ−ｃｏｖｅｒａｇｅ  ｉｎｄｉｃａｔｏｒの組み合わせにより、３種類の優先度グループ（Priority Group）が定義されている。具体的には、ＳＬＩＤが０〜１６７でありＩｎ−ｃｏｖｅｒａｇｅ  ｉｎｄｉｃａｔｏｒが「１（ＴＲＵＥ）」である場合は優先度グループ１、ＳＬＩＤが０〜１６７でありＩｎ−ｃｏｖｅｒａｇｅ  ｉｎｄｉｃａｔｏｒが「０（ＦＡＬＳＥ）」である場合は優先度グループ２、ＳＬＩＤが１６８〜３５５でありＩｎ−ｃｏｖｅｒａｇｅ  ｉｎｄｉｃａｔｏｒが「０（ＦＡＬＳＥ）である場合は優先度グループ３に定義されている。
【００２７】
また、従来のＤ２Ｄでは、ＳＳ、カバレッジ内で送信されたＳＬＳＳ、及びカバレッジ外で送信されたＳＬＳＳを受信した場合に、ユーザ装置ＵＥはどの同期信号と同期すべきかを示す優先順位が規定されている。最も優先度が高いのはＳＳであり、次に優先度が高いのはカバレッジ内で送信されるＳＬＳＳ（優先度グループ１）であり、優先度が低いのはカバレッジ外で送信されるＳＬＳＳ（優先度グループ２又は３）であると規定されている。
【００２８】
図４は、従来のＤ２ＤにおけるＳＬＳＳ送信トリガを説明するためのフローチャートである。ユーザ装置ＵＥは、所定の条件を満たす場合に同期信号を送信（リレー）することが規定されているが、より具体的には、図４に示す条件を満たす場合にＳＬＳＳ及びＰＳＢＣＨを送信する。
【００２９】
ステップＳ１１で、ユーザ装置ＵＥは、上位レイヤ（ＲＲＣ等）でＳＬＳＳ送信が指示されているのかを確認する。指示されている場合はステップＳ１２に進み、指示されていない場合はステップＳ１３に進む。
【００３０】
ステップＳ１２で、ユーザ装置ＵＥはＳＬＳＳ及びＰＳＢＣＨを送信する。なお、ステップＳ１２では、ユーザ装置ＵＥは上位レイヤからの指示を受けられる状態（すなわちカバレッジ内）であるため、カバレッジ内で送信されるＳＬＳＳ及び「１」が設定されたＩｎ−ｃｏｖｅｒａｇｅ  ｉｎｄｉｃａｔｏｒを含むＰＳＢＣＨを送信する。
【００３１】
ステップＳ１３で、ユーザ装置ＵＥはカバレッジ内であるかを確認する。カバレッジ内である場合はステップＳ１４に進み、カバレッジ外である場合はステップＳ１６に進む。
【００３２】
ステップＳ１４で、ユーザ装置ＵＥは、Ｄ２Ｄ信号を送信中で、かつ、所定の閾値（カバレッジ内でＳＬＳＳの送信要否を判断するためのＲＳＲＰ閾値）がＳＩＢ（System Information Block）又はＲＲＣ信号で設定（通知）されている場合に、基地局ｅＮＢからの参照信号等の受信電力（ＲＳＲＰ）が当該所定の閾値以下であるかを確認する。所定の閾値以下である場合はステップＳ１５に進み、所定の閾値を超えている場合、Ｄ２Ｄ信号を送信中でない場合、又は所定の閾値がＳＩＢ若しくはＲＲＣ信号で設定されていない場合は処理を終了する。
【００３３】
ステップＳ１５で、ユーザ装置ＵＥは、カバレッジ内で送信されるＳＬＳＳ及び「１」が設定されたＩｎ−ｃｏｖｅｒａｇｅ  ｉｎｄｉｃａｔｏｒを含むＰＳＢＣＨを送信する。
【００３４】
ステップＳ１６で、ユーザ装置ＵＥは、所定の閾値（カバレッジ外でＳＬＳＳの送信要否を判断するためのＳ−ＲＳＲＰ（Sidelink-RSRP）閾値）がＳＩＢ又はＲＲＣ信号で設定されている場合、ＰＳＢＣＨに紐づくＤＭ−ＲＳの受信電力が当該所定の閾値以上であるかを確認する。所定の閾値が設定されてない場合又は所定の閾値以上である場合は処理を終了し、所定の閾値未満である場合（ＰＳＢＣＨに紐づくＤＭ−ＲＳが検出されない場合を含む）はステップＳ１７に進む。
【００３５】
ステップＳ１７で、ユーザ装置ＵＥは、カバレッジ周辺又はカバレッジ外で送信されるＳＬＳＳ及び「０」が設定されたＩｎ−ｃｏｖｅｒａｇｅ  ｉｎｄｉｃａｔｏｒを含むＰＳＢＣＨを送信する。
【００３６】
図４において、ステップＳ１４の処理手順は、ユーザ装置ＵＥがセル端に近い位置（すなわち、カバレッジ外に近い位置）に存在するか否かを確認するために行われる。つまり、セル端に近い位置に存在するユーザ装置ＵＥのみがＳＬＳＳを送信するようにして、セルの中心に近い位置に存在するユーザ装置ＵＥはＳＬＳＳを送信しないように制御されることになる。また、ステップＳ１６の処理手順は、ＰＳＢＣＨを送信している他のユーザ装置ＵＥが近くに存在していないかを確認するために行われる。つまり、ステップＳ１７の処理手順でユーザ装置ＵＥがＳＬＳＳを送信するのは、ユーザ装置ＵＥが孤立している状態、又は、ＰＳＢＣＨを送信する他のユーザ装置ＵＥとの距離が離れている場合のいずれかである。
【００３７】
本実施の形態におけるユーザ装置ＵＥは、ＳＳ及びＳＬＳＳに加えて、ＧＰＳ信号を利用して同期を行うことを可能にする。例えば、図２に示すように、カバレッジ外に存在するユーザ装置ＵＥｃ及びＵＥｄは基地局ｅＮＢからのＳＳを受信出来ない代わりにＧＰＳ信号を受信可能であるため、ＧＰＳ信号を利用して同期を行う。
【００３８】
また、本実施の形態では、複数の同期ソース（ＳＳ、ＧＰＳ信号、ＳＬＳＳ）を検出したユーザ装置ＵＥは、予め定められた優先順位に従っていずれか１つの同期ソースを用いて同期を行うようにする。例えば図２において、ユーザ装置ＵＥａはＧＰＳ信号及びＳＳを同時に受信しているため、いずれか一方（例えばＧＰＳ信号）を用いて同期を行う。
【００３９】
また、本実施の形態では、ＧＰＳ信号と同期されたＳＬＳＳ（以下、便宜上「ＳＬＳＳ（ＧＰＳ  ｓｙｎｃ．）」と呼ぶ）と、ＳＳと同期されたＳＬＳＳ（以下、便宜上「ＳＬＳＳ（ＮＷ（Network）  ｓｙｎｃ．）」と呼ぶ）と、ＳＳ及びＧＰＳ信号と同期されていないＳＬＳＳ（以下、便宜上「ＳＬＳＳ（Ｎｏ  ｓｙｎｃ．）」と呼ぶ）とをユーザ装置ＵＥで識別可能にする。具体的な識別方法については後述する。
【００４０】
また、本実施の形態では、ＧＰＳ信号と直接同期しているユーザ装置ＵＥは、基本的にＳＬＳＳを送信しないようにする。
【００４１】
また、ＧＰＳ又はＳＳと同期しているユーザ装置ＵＥは、孤立している（ＳＳ及びＳＬＳＳと同期していない）ユーザ装置ＵＥからＳＬＳＳを受信した場合、ＳＬＳＳ（ＧＰＳ  ｓｙｎｃ．）又はＳＬＳＳ（ＮＷ  ｓｙｎｃ．）を送信することで当該孤立しているユーザ装置ＵＥの同期精度を向上させることを可能にする。例えば、図２において、ＧＰＳ信号と同期しているユーザ装置ＵＥｄは、孤立しているユーザ装置ＵＥｅからＳＬＳＳを受信した場合、ＳＬＳＳ（ＧＰＳ  ｓｙｎｃ．）をユーザ装置ＵＥｅに向けて送信するようにする。これにより、ユーザ装置ＵＥｅの同期精度を向上させることができる。
【００４２】
なお、Ｖ２Ｘにおいてユーザ装置である自動車は高速移動し得るため、Ｄ２Ｄ通信による同期は、同期信号の受信状態の時間変動が大きく、同期の安定性を確保することが難しいという課題もある。本実施の形態によれば、ユーザ装置ＵＥは高速に複数同期ソースの切替えを行うことができる。
【００４３】
なお、本実施の形態において、ユーザ装置ＵＥは、Ｖ２Ｘで規定されている自動車、ドライバーのモバイル端末、及び、歩行者のモバイル端末を含む。また、Ｖ２Ｘで規定されるＲＳＵは、特に断りがない限り、本実施の形態におけるユーザ装置ＵＥであってもよいし、基地局ｅＮＢであってもよい。
【００４４】
＜処理手順＞
以下、本実施の形態における無線通信システムが行う具体的な処理手順について説明する。
【００４５】
（同期処理について）
図５は、実施の形態に係る同期処理の一例を示すフローチャートである。前述のようにユーザ装置ＵＥは、ＳＳ及びＳＬＳＳに加えて、ＧＰＳ信号等を利用して同期を行う。また、複数の異なる同期ソース（ＳＳ、ＧＰＳ信号、ＳＬＳＳ）を検出したユーザ装置ＵＥは、予め定められた優先順位に従っていずれか１つの同期ソースを用いて同期を行う。図５を用いて、ユーザ装置ＵＥが行う同期処理について具体的に説明する。
【００４６】
ステップＳ２１で、ユーザ装置ＵＥは、１以上の同期ソースを検出したかを確認する。１以上の同期ソースを検出した場合、ステップＳ２２に進む。
【００４７】
ステップＳ２２で、ユーザ装置ＵＥは、ステップＳ２１において、ユーザ装置ＵＥ自身が現在同期している同期ソースよりも優先度の高い同期ソースを検出したか否かを確認する。ユーザ装置ＵＥ自身が現在同期している同期ソースよりも優先度の高い同期ソースを検出した場合はステップＳ２３に進み、ユーザ装置ＵＥ自身が現在同期している同期ソースよりも優先度の高い同期ソースを検出していない場合は処理を終了する。また、ユーザ装置ＵＥが非同期状態である場合（例えば起動直後である場合等）も、ステップＳ２３に進む。
【００４８】
ここで、ユーザ装置ＵＥは、同期に用いる同期ソースの優先度を示す優先度情報を用いてステップＳ２２の処理手順を行う。
【００４９】
図６は優先度情報の一例を示す図である。図６に示す優先度情報には、ＧＰＳ信号、ＳＳ、ＳＬＳＳ（ＧＰＳ  ｓｙｎｃ．）、ＳＬＳＳ（ＮＷ  ｓｙｎｃ．）、ＳＬＳＳ（Ｎｏ  ｓｙｎｃ．）の順に優先度が規定されていることを示している。優先度情報は、基地局ｅＮＢからＲＲＣ信号、報知情報（ＳＩＢ）、レイヤ１又はレイヤ２の制御信号を介して通知されるようにしてもよいし、又は、基地局ｅＮＢに該当するＲＳＵから通知されるようにしてもよい。また、ＳＩＭ（Subscriber Identity Module）に予め設定されていてもよいし、コアネットワークから送信される上位レイヤの制御信号を介して通知されるようにしてもよい。また、優先度自体が、ユーザ装置ＵＥを動作させるためのプログラムに処理ロジックとして組み込まれていてもよい。図６に示す優先度はあくまで一例であり、他の順に優先度が規定されていてもよい。例えば、優先度情報には、ＳＳ、ＧＰＳ信号、ＳＬＳＳ（ＧＰＳ  ｓｙｎｃ．）、ＳＬＳＳ（ＮＷ  ｓｙｎｃ．）、ＳＬＳＳ（Ｎｏ  ｓｙｎｃ．）の順に優先度が規定されているようにしてもよい。
【００５０】
ステップＳ２３で、ユーザ装置ＵＥは、ステップＳ２１で検出された１以上の同期ソースのうち、優先度情報に規定されている最も優先度の高い同期ソースを用いて無線フレーム及び周波数の同期を行う。
【００５１】
ここで、ＧＰＳ信号と同期を行う場合、例えばユーザ装置ＵＥが備えるＧＰＳ受信モジュールから出力される高精度なＰＰＳ（Pulse Per Second）を利用することで時間間隔の同期を行うことができる。しかしながら、ＬＴＥでは、時間間隔の同期のみならず無線フレーム同期も行う必要がある。無線フレーム同期を行うためには、ユーザ装置ＵＥは、少なくとも、無線フレームが開始される時刻（タイミング）、及び、当該無線フレームに割当てられる無線フレーム番号（ＳＦＮ（System Frame Number）又はＤＦＮ）を把握している必要がある。そこで、本実施の形態では、ＵＴＣと無線フレームが開始される時刻と無線フレーム番号（ＳＦＮ又はＤＦＮ）とを対応づける情報（以下、「同期情報」と呼ぶ）をユーザ装置ＵＥに保持しておき、ユーザ装置ＵＥは、ＧＰＳ信号から取得したＵＴＣと同期情報と比較することで無線フレーム同期を行う。同期情報のフォーマットについては特に限定されないが、例えば、ＳＦＮ／ＤＦＮ＝「０」が開始されるタイミングに対応する「秒」が設定されていてもよいし、ＳＦＮ／ＤＦＮ＝「０」に対応するＵＴＣが具体的に設定されていてもよい。また、ＳＦＮ／ＤＦＮ＝「０」に対応するＵＴＣからのオフセット値が含まれていてもよい。同期情報は、基地局ｅＮＢからＲＲＣ信号、報知情報（ＳＩＢ）、レイヤ１又はレイヤ２の制御信号を介して通知されるようにしてもよいし、又は、基地局ｅＮＢに該当するＲＳＵから通知されるようにしてもよい。基地局ｅＮＢから直接同期情報を送信せず、同期に利用可能な他のキャリアを介して通知されるようにしてもよいし、セルＩＤなどと併せて通知されてもよい。また、ＳＩＭ（Subscriber Identity Module）に予め設定されていてもよいし、コアネットワークから送信される上位レイヤの制御信号を介して通知されるようにしてもよい。
【００５２】
以上の処理手順において、同一優先度の同期ソースごとにステップＳ２１〜Ｓ２３を実施してもよいし、ユーザ装置ＵＥが低優先度の同期ソースも並行してモニタすることで同期のための遅延を抑制してもよい。特に一度同期した後同期が外れた場合、バックグラウンドで他の同期ソースをモニタしておくことでステップＳ２１で同期ソースのフルスキャンが不要になり、スムーズな同期ソース切り替えが可能になる。
【００５３】
なお、本実施の形態における無線通信システムでは、ＳＳにおける無線フレームの同期タイミングと、ＧＰＳ信号及び同期情報から決定される無線フレームの同期タイミングとが一致していることを前提としている。すなわち、基地局ｅＮＢもＧＰＳ信号と同期していることを前提としている。
【００５４】
（ＳＬＳＳについて）
本実施の形態において、ユーザ装置ＵＥは、ＳＬＳＳ（ＧＰＳ  ｓｙｎｃ．）、ＳＬＳＳ（ＮＷ  ｓｙｎｃ．）、及びＳＬＳＳ（Ｎｏ  ｓｙｎｃ．）を識別する必要がある。そこで、本実施の形態では、ＳＬＳＳ（ＧＰＳ  ｓｙｎｃ．）、ＳＬＳＳ（ＮＷ  ｓｙｎｃ．）、及びＳＬＳＳ（Ｎｏ  ｓｙｎｃ．）に、それぞれ異なる系列を割り当てることで、これらのＳＬＳＳを識別可能にしてもよい。例えば、ＳＬＳＳ（ＧＰＳ  ｓｙｎｃ．）におけるＰＳＳＳと、ＳＬＳＳ（ＮＷ  ｓｙｎｃ．）におけるＰＳＳＳと、ＳＬＳＳ（Ｎｏ  ｓｙｎｃ．）におけるＰＳＳＳとで、それぞれ異なるルートインデックスが用いられてもよい。特にＳＬＳＳ（ＧＰＳ  ｓｙｎｃ．）及び／又はＳＬＳＳ（ＮＷ  ｓｙｎｃ．）に対して単一の系列を割り当てることで、ＧＰＳ同期ソース間及び／又は基地局同期ソース間の受信レベル比較を省略することも可能である。
さらにＰＳＢＣＨなどＳＬＳＳと共に送信されるチャネルのＤＭ−ＲＳの直交系列（Cyclic shift及び／又はOrthogonal sequence）にこれらをマッピングし，該当の系列に対してはグループホッピングを適用しないことで直交化させ、同期精度を高めてもよい。
【００５５】
また、ＳＬＳＳ（ＮＷ  ｓｙｎｃ．）及びＳＬＳＳ（Ｎｏ  ｓｙｎｃ．）におけるＰＳＳＳには、それぞれ従来のカバレッジ内で送信されるＳＬＳＳ及びカバレッジ外で送信されるＳＬＳＳと同一値のルートインデックスが用いられるようにして、ＳＬＳＳ（ＧＰＳ  ｓｙｎｃ．）におけるＰＳＳＳのみ、新たなルートインデックスが用いられるようにしてもよい。
【００５６】
また、ＳＬＳＳと同時に送信されるＰＳＢＣＨの中にＳＬＳＳの種別を示す識別子を含めることでＳＬＳＳを識別可能にしてもよい。一例として、ＳＬＳＳ（ＧＰＳ  ｓｙｎｃ．）の場合、当該識別子には「１」が設定され、ＳＬＳＳ（ＮＷ  ｓｙｎｃ．）の場合、当該識別子には「２」が設定され、ＳＬＳＳ（Ｎｏ  ｓｙｎｃ．）の場合、当該識別子には「３」が設定されるようにしてもよい。当該識別子は、ＰＳＢＣＨのリザーブ領域（Reserved bits）に格納されてもよい。また、ＳＬＳＳと同時に送信されるＰＳＢＣＨに含まれるＤＦＮ、ＴＤＤ  ＵＬ−ＤＬ  ｃｏｎｆｉｇ、Ｓｉｄｅｌｉｎｋ  ｓｙｓｔｅｍ  ｂａｎｄｗｉｄｔｈ設定用の領域を用いて、これらの領域に設定される値によりＳＬＳＳの種別を識別可能にしてもよい。Ｖ２Ｘでは、これらの領域及び従来のＬＴＥで規定されている設定値の全部又は一部が使用されないことが想定されるため、使用されない領域及び設定値を流用することが可能である。また、ＳＬＳＳと同時に送信されるＰＳＢＣＨに含まれるＩｎ−ｃｏｖｅｒａｇｅ  ｉｎｄｉｃａｔｏｒの設定値をカバレッジ内ＵＥのＳＬＳＳ送信以外のために用いて、ＳＬＳＳの種別を識別可能にしてもよい。
【００５７】
ＰＢＳＣＨの中にＳＬＳＳの種別を示す識別子を含める場合、ＳＬＳＳ（ＧＰＳ  ｓｙｎｃ．）、ＳＬＳＳ（ＮＷ  ｓｙｎｃ．）、及びＳＬＳＳ（Ｎｏ  ｓｙｎｃ．）の系列は同一であってもよいし、それぞれ異なる系列であってもよい。なお、ＳＬＳＳの種別を示す識別子は、基地局ｅＮＢからＲＲＣ信号、報知情報（ＳＩＢ）、レイヤ１又はレイヤ２の制御信号を介して通知されるようにしてもよいし、又は、基地局ｅＮＢに該当するＲＳＵから通知されるようにしてもよい。また、ＳＩＭ（Subscriber Identity Module）に予め設定されていてもよいし、コアネットワークから送信される上位レイヤの制御信号を介して通知されるようにしてもよい。
【００５８】
以下の説明において、「ＳＬＳＳ（ＧＰＳ  ｓｙｎｃ．）を送信する」とは、上述のいずれかの方法又は上述のいずれかの方法の組み合わせによりＳＬＳＳ（ＧＰＳ  ｓｙｎｃ．）を識別可能なようにＳＬＳＳを送信することを意味する。同様に、ＳＬＳＳ（ＮＷ  ｓｙｎｃ．）を送信するとは、ＳＬＳＳ（ＮＷ  ｓｙｎｃ．）を識別可能なようにＳＬＳＳを送信することを意味し、ＳＬＳＳ（Ｎｏ  ｓｙｎｃ．）を送信するとは、ＳＬＳＳ（Ｎｏ  ｓｙｎｃ．）を識別可能なようにＳＬＳＳを送信することを意味する。つまり、ユーザ装置ＵＥが所定の種別のＳＬＳＳ（ＳＬＳＳ（ＧＰＳ  ｓｙｎｃ．）など）を送信することには、ＳＬＳＳの系列のみでＳＬＳＳの種別を識別可能にする場合おいて「所定の種別のＳＬＳＳに対応する系列のＳＬＳＳを送信する」こと、及び、ＳＬＳＳとＰＳＢＣＨに格納される情報とを組み合わせることでＳＬＳＳの種別を識別可能にする場合において「ＳＬＳＳ及びＳＬＳＳの種別に対応する情報を含むＰＳＢＣＨの両方を送信すること」のいずれか又は両方を示す意味で用いる。また、ユーザ装置ＵＥが受信したＳＬＳＳの種別を識別することには、ＳＬＳＳの系列のみでＳＬＳＳの種別を識別可能にする場合おいて「受信したＳＬＳＳの系列を用いてＳＬＳＳの種別を識別する」こと、及び、ＳＬＳＳとＰＳＢＣＨに格納される情報とを組み合わせることでＳＬＳＳの種別を識別可能にする場合において「ＳＬＳＳ及びＰＳＢＣＨの両方を受信し、受信したＳＬＳＳとＰＳＢＣＨに含まれる情報とを用いてＳＬＳＳの種別を識別すること」のいずれか又は両方を示す意味で用いる。
【００５９】
（ＳＬＳＳ送信トリガについて）
続いて、ユーザ装置ＵＥがＳＬＳＳを送信する際の送信トリガについて説明する。前述のように、ユーザ装置ＵＥは、ＧＰＳ信号と直接同期している場合は基本的にＳＬＳＳを送信しないようにする。また、図４で説明した従来のＳＬＳＳ送信トリガに加え、ＳＬＳＳ（Ｎｏ  ｓｙｎｃ．）を受信した場合であって、かつ、ＧＰＳ信号又はＳＳと同期している場合、ユーザ装置ＵＥは、ＳＬＳＳ（ＧＰＳ  ｓｙｎｃ．）又はＳＬＳＳ（ＮＷ  ｓｙｎｃ．）を送信する。
【００６０】
図７は、実施の形態に係るＳＬＳＳ送信トリガの一例を示すフローチャートである。
【００６１】
ステップＳ３１、ステップＳ３３及びステップＳ３４については、それぞれ図４のステップＳ１１、ステップＳ１３及びステップＳ１４と同一であるため説明は省略する。
【００６２】
ステップＳ３２で、ユーザ装置ＵＥは、ＧＰＳ信号と同期している場合はＳＬＳＳ（ＧＰＳ  ｓｙｎｃ．）及びＰＢＳＣＨを送信し、ＳＳと同期している場合はＳＬＳＳ（ＮＷ  ｓｙｎｃ．）及びＰＢＳＣＨを送信する。なお、Ｉｎ−ｃｏｖｅｒａｇｅ  ｉｎｄｉｃａｔｏｒにはカバレッジ内を示す「１」が設定される。
【００６３】
ステップＳ３５で、ユーザ装置ＵＥは、ＧＰＳ信号と直接同期しているかを確認する。ＧＰＳ信号と直接同期している場合はステップＳ３７に進み、ＧＰＳ信号と直接同期していない場合は、ステップＳ３６に進む。
【００６４】
ステップＳ３６で、ユーザ装置ＵＥはＳＬＳＳ（ＮＷ  ｓｙｎｃ．）及びＰＢＳＣＨを送信する。なお、Ｉｎ−ｃｏｖｅｒａｇｅ  ｉｎｄｉｃａｔｏｒにはカバレッジ内を示す「１」が設定される。
【００６５】
ステップＳ３７で、ユーザ装置ＵＥは、所定の閾値（カバレッジ外でＳＬＳＳの送信要否を判断するための閾値）がＳＩＢ又はＲＲＣ信号で設定されている場合、Ｄ２Ｄ信号の受信電力が当該所定の閾値以上であるかを確認する。所定の閾値が設定されてない場合又は所定の閾値以上である場合はステップＳＳ４０に進み、所定の閾値未満である場合（Ｄ２Ｄ信号が検出されない場合を含む）はステップＳ３８に進む。
【００６６】
ステップＳ３８で、ユーザ装置ＵＥは、ＧＰＳ信号と直接同期しているかを確認する。ＧＰＳ信号と直接同期している場合は処理を終了し、ＧＰＳ信号と直接同期していない場合は、ステップＳ３９に進む。
【００６７】
ステップＳ３９で、ユーザ装置ＵＥは、他のユーザ装置ＵＥが送信するＳＬＳＳ（ＧＰＳ  ｓｙｎｃ．）と同期している場合はＳＬＳＳ（ＧＰＳ  ｓｙｎｃ．）及びＰＢＳＣＨを送信し、他のユーザ装置ＵＥが送信するＳＬＳＳ（ＮＷ  ｓｙｎｃ．）と同期している場合はＳＬＳＳ（ＮＷ  ｓｙｎｃ．）及びＰＢＳＣＨを送信し、他のユーザ装置ＵＥが送信するＳＬＳＳ（Ｎｏ  ｓｙｎｃ．）と同期している場合はＳＬＳＳ（Ｎｏ  ｓｙｎｃ．）及びＰＢＳＣＨを送信する。また、ユーザ装置ＵＥは、孤立状態にある場合はＳＬＳＳ（Ｎｏ  ｓｙｎｃ．）及びＰＢＳＣＨを送信する。なお、Ｉｎ−ｃｏｖｅｒａｇｅ  ｉｎｄｉｃａｔｏｒにはカバレッジ外を示す「０」が設定される。
【００６８】
ステップＳ４０で、ユーザ装置ＵＥは、他のユーザ装置ＵＥが送信しているＳＬＳＳ（Ｎｏ  ｓｙｎｃ．）を受信したか否かを確認する。ＳＬＳＳ（Ｎｏ  ｓｙｎｃ．）を受信した場合はステップＳ４１に進み、ＳＬＳＳ（Ｎｏ  ｓｙｎｃ．）以外のＳＬＳＳを受信した場合は処理を終了する。
【００６９】
ステップＳ４１で、ユーザ装置ＵＥは、自身がＧＰＳ信号又はＳＬＳＳ（ＧＰＳ  ｓｙｎｃ．）と同期しているかを確認する。ＧＰＳ信号又はＳＬＳＳ（ＧＰＳ  ｓｙｎｃ．）と同期している場合はステップＳ４２に進み、ＧＰＳ信号及びＳＬＳＳ（ＧＰＳ  ｓｙｎｃ．）とは同期していない場合はステップＳ４３に進む。
【００７０】
ステップＳ４２で、ユーザ装置ＵＥは、ＳＬＳＳ（ＧＰＳ  ｓｙｎｃ．）及びＰＢＳＣＨを送信する。
【００７１】
ステップＳ４３で、ユーザ装置ＵＥは、自身がＳＳ又はＳＬＳＳ（ＮＷ  ｓｙｎｃ．）と同期しているかを確認する。ＳＳ又はＳＬＳＳ（ＮＷ  ｓｙｎｃ．）と同期している場合はステップＳ４４に進み、ＳＳ及びＳＬＳＳ（ＮＷ  ｓｙｎｃ．）とは同期していない場合は処理を終了する。
【００７２】
ステップＳ４４で、ユーザ装置ＵＥは、ＳＬＳＳ（ＮＷ  ｓｙｎｃ．）及びＰＢＳＣＨを送信する。
【００７３】
以上、ＳＬＳＳ送信トリガについて説明した。本実施の形態において、ユーザ装置ＵＥは、ＧＰＳ信号と直接同期している場合、基本的にはＳＬＳＳを送信しないようにした。Ｖ２Ｘの利用形態を考慮すると、各ユーザ装置ＵＥはトンネル内等でない限りＧＰＳ信号を受信可能であると想定されるためである。これにより、ユーザ装置ＵＥの処理負荷を軽減することができる。
【００７４】
また、本実施の形態において、ユーザ装置ＵＥは、ＳＬＳＳ（Ｎｏ  ｓｙｎｃ．）を受信した場合であって、ユーザ装置ＵＥ自身がＧＰＳ信号若しくはＳＬＳＳ（ＧＰＳ  ｓｙｎｃ．）又はＳＳ若しくはＳＬＳＳ（ＮＷ  ｓｙｎｃ．）と同期している場合、ＳＬＳＳ（ＧＰＳ  ｓｙｎｃ．）又はＳＬＳＳ（ＮＷ  ｓｙｎｃ．）を送信するようにした。これにより、ＳＬＳＳ（Ｎｏ  ｓｙｎｃ．）を送信しているユーザ装置ＵＥは、ＳＬＳＳ（ＧＰＳ  ｓｙｎｃ．）又はＳＬＳＳ（ＮＷ  ｓｙｎｃ．）と同期することができ、同期精度を高めることができる。すなわち、無線通信システム内の各ユーザ装置ＵＥに、高精度な同期状態がリレーされることになる。
【００７５】
（動作シーケンス例）
次に、以上図６及び図７で説明したフローチャートに従い、本実施の形態における無線通信システムで同期処理及び同期信号の送信（リレー）が行われる様子を説明する。
【００７６】
図８は、実施の形態に係る無線通信システムの動作例を示すシーケンス図である。図８において、ユーザ装置ＵＥｆ及びＵＥｇは、基地局ｅＮＢのカバレッジ内に存在し、ＧＰＳ信号を受信可能である前提とする。また、ユーザ装置ＵＥｈ及びＵＥｉは、基地局ｅＮＢのカバレッジ外に存在し、ＧＰＳ信号を受信することができない前提とする。また、優先度情報には、ＧＰＳ信号、ＳＳ、ＳＬＳＳ（ＧＰＳ  ｓｙｎｃ．）、ＳＬＳＳ（ＮＷ  ｓｙｎｃ．）、ＳＬＳＳ（Ｎｏ  ｓｙｎｃ．）の順に優先度が規定されている前提とする。また、図７のステップＳ３１の処理手順で、ユーザ装置ＵＥは上位レイヤでＳＬＳＳの送信を指示されない前提とする。
【００７７】
ステップＳ１０１で、ＧＰＳ衛星１はＧＰＳ信号を送信している。また、ステップＳ１０２で、基地局ｅＮＢは、ＳＳを送信している。
【００７８】
ステップＳ１０３で、ＧＰＳ信号及びＳＳを受信したユーザ装置ＵＥｆは、ＧＰＳ信号を用いて同期処理を行う。なお、ユーザ装置ＵＥｆは、ＧＰＳ信号と直接同期しているものの、他のユーザ装置ＵＥから送信されるＤ２Ｄ信号を受信していない状態である。つまり、図７のステップＳ３７の「Ｎｏ」ルート及びステップＳ３８の「Ｙｅｓ」ルートに従い処理を終了する。
【００７９】
ステップＳ１０４で、ＧＰＳ信号及びＳＳを受信したユーザ装置ＵＥｆは、ＧＰＳ信号を用いて同期処理を行う。なお、ユーザ装置ＵＥｇは、ＧＰＳ信号と同期しているものの、他のユーザ装置ＵＥから送信されるＤ２Ｄ信号を受信していない状態である。つまり、図７のステップＳ３７の「Ｎｏ」ルート及びステップＳ３８の「Ｙｅｓ」ルートに従い処理を終了する。
【００８０】
ステップＳ１０５で、孤立状態にあるユーザ装置ＵＥｉは、例えば他のユーザ装置ＵＥとＤ２Ｄ通信を行うため、図７のステップＳ３９の処理手順に従ってＳＬＳＳ（Ｎｏ  ｓｙｎｃ．）及びＰＢＳＣＨを送信する。
【００８１】
ステップＳ１０６で、ユーザ装置ＵＥｈは、ユーザ装置ＵＥｉから受信したＳＬＳＳ（Ｎｏ  ｓｙｎｃ．）を用いて同期処理を行う。なお、当該ＳＬＳＳの受信電力はＳＩＢで指示される所定の閾値未満であったと仮定する。従って、ユーザ装置ＵＥは、図７のステップＳ３９の処理手順に従い、ＳＬＳＳ（Ｎｏ  ｓｙｎｃ．）を送信すべきと判断する。
【００８２】
ステップＳ１０７で、ユーザ装置ＵＥｈは、ＳＬＳＳ（Ｎｏ  ｓｙｎｃ．）及びＰＢＳＣＨを送信する。
【００８３】
ステップＳ１０８で、ユーザ装置ＵＥｇは、既に優先度の高いＧＰＳ信号と同期していることから、ステップＳ１０７で受信したＳＬＳＳ（Ｎｏ  ｓｙｎｃ．）とは同期しないようにする。また、ユーザ装置ＵＥｇは、図７のステップＳ４２の処理手順に従い、ＳＬＳＳ（ＧＰＳ  ｓｙｎｃ．）を送信すべきと判断する。
【００８４】
ステップＳ１０９で、ユーザ装置ＵＥｇは、ＳＬＳＳ（ＧＰＳ  ｓｙｎｃ．）及びＰＢＳＣＨを送信する。
【００８５】
ステップＳ１１０で、ユーザ装置ＵＥｈは、現在同期しているＳＬＳＳ（Ｎｏ  ｓｙｎｃ．）よりも優先度の高いＳＬＳＳ（ＧＰＳ  ｓｙｎｃ．）を受信したと判断し、ＳＬＳＳ（ＧＰＳ  ｓｙｎｃ．）を用いて同期処理を行う。なお、ステップＳ１０９で受信したまたは予め測定しておいたＤ２Ｄ信号の受信電力は所定の閾値以上であったと仮定する。従って、図７のステップＳ４０の「Ｎｏ」ルートに従い処理を終了する。
【００８６】
ステップＳ１１１で、孤立状態にあるユーザ装置ＵＥｉは、例えば他のユーザ装置ＵＥとＤ２Ｄ通信を行うため、図７のステップＳ３９の処理手順に従い、再度ＳＬＳＳ（Ｎｏ  ｓｙｎｃ．）及びＰＢＳＣＨを送信したとする。
【００８７】
ステップＳ１１２で、ユーザ装置ＵＥｈは、現在同期しているＳＬＳＳ（ＧＰＳ  ｓｙｎｃ．）よりも優先度の低いＳＬＳＳ（Ｎｏ  ｓｙｎｃ．）を受信したと判断し、同期処理を行わない。また、ユーザ装置ＵＥｈは、図７のステップＳ４２の処理手順に従い、ＳＬＳＳ（ＧＰＳ  ｓｙｎｃ．）を送信すべきと判断する。
【００８８】
ステップＳ１１３で、ユーザ装置ＵＥｈは、ＳＬＳＳ（ＧＰＳ  ｓｙｎｃ．）及びＰＢＳＣＨを送信する。
【００８９】
以上、本実施の形態における無線通信システムで同期処理及び同期信号の送信（リレー）が行われる様子について説明した。
【００９０】
（ＵＴＣを用いた無線リソースの割当てについて）
次に、ＵＴＣを用いた無線リソースの割当て方法について説明する。本実施の形態ではＧＰＳ信号を用いた同期処理を実現するようにしたが、これに加えて、ＧＰＳ信号を無線フレーム同期よりも大まかな同期に用いるようにしてもよい。例えば、ユーザ装置ＵＥは、ＧＰＳ信号により取得したＵＴＣを用いて、Ｄ２Ｄ通信を行うことが可能な無線リソースを特定するようにしてもよい。
【００９１】
より具体的には、基地局ｅＮＢは、「ＲＳＵがＤ２Ｄ信号を送信可能な期間」と「ＲＳＵ以外のユーザ装置ＵＥがＤ２Ｄ信号を送信可能な期間」とを示す無線リソース割当情報を、報知情報を介してユーザ装置ＵＥに通知しておく。ユーザ装置ＵＥは、自身の種別と無線リソース割当情報とＧＰＳ信号により取得したＵＴＣとに基づき、自身の種別がＲＳＵの場合は、「ＲＳＵがＤ２Ｄ信号を送信可能な期間」でＤ２Ｄ信号を送信し、自身の種別がＲＳＵ以外のユーザ装置ＵＥである場合は、「ＲＳＵ以外のユーザ装置ＵＥがＤ２Ｄ信号を送信可能な期間」でＤ２Ｄ信号を送信するようにしてもよい。
【００９２】
図９は、ＵＴＣを用いた無線リソース割当て方法の一例を示す図である。図９に示すように、例えば、ＲＳＵがＤ２Ｄ信号を送信可能な期間と、ＲＳＵ以外のユーザ装置ＵＥがＤ２Ｄ信号を送信可能な期間とが交互に設定されるようにしてもよい。端末時刻及び／又は端末内蔵クロックなどを利用して，同期ソースの種別（ＧＰＳ・基地局ｅＮＢ・端末内蔵クロック）によって、サブフレームレベル及び／又はフレームレベルなどで送信リソースをＴＤＭしてもよい。
【００９３】
＜処理手順（変形例）＞
続いて、以上説明した処理手順における複数の変形例について説明する。
【００９４】
（ＳＬＳＳ（ＧＰＳ  ｓｙｎｃ．）の変形例について）
本実施の形態において、ＧＰＳ信号を直接受信して同期を行っているユーザ装置ＵＥにより送信されるＳＬＳＳ（ＧＰＳ  ｓｙｎｃ．）と、他のユーザ装置ＵＥから送信されるＳＬＳＳ（ＧＰＳ  ｓｙｎｃ．）を受信して同期を行っているユーザ装置ＵＥにより送信されるＳＬＳＳ（ＧＰＳ  ｓｙｎｃ．）とを識別可能なようにしてもよい。例えば図１０Ａに示すように、ＧＰＳ信号を直接受信して同期を行っているユーザ装置ＵＥにより送信されるＳＬＳＳをＳＬＳＳ（ＧＰＳ  ｓｙｎｃ．Ｌｅｖｅｌ０）と規定し、ＳＬＳＳ（ＧＰＳ  ｓｙｎｃ．）を受信して同期を行っているユーザ装置ＵＥにより送信されるＳＬＳＳをＳＬＳＳ（ＧＰＳ  ｓｙｎｃ．Ｌｅｖｅｌ１）と規定してもよい。
【００９５】
また、ＳＬＳＳがリレーされた回数が判断可能なようにしてもよい。例えば図１０Ｂに示すように、ＧＰＳ信号を直接受信して同期を行っているユーザ装置ＵＥにより送信されるＳＬＳＳをＳＬＳＳ（ＧＰＳ  ｓｙｎｃ．Ｌｅｖｅｌ０）と規定し、ＳＬＳＳ（ＧＰＳ  ｓｙｎｃ．Ｌｅｖｅｌ０）を受信して同期を行っているユーザ装置ＵＥにより送信されるＳＬＳＳをＳＬＳＳ（ＧＰＳ  ｓｙｎｃ．Ｌｅｖｅｌ１）と規定し、ＳＬＳＳ（ＧＰＳ  ｓｙｎｃ．Ｌｅｖｅｌ１）を受信して同期を行っているユーザ装置ＵＥにより送信されるＳＬＳＳをＳＬＳＳ（ＧＰＳ  ｓｙｎｃ．Ｌｅｖｅｌ２）と規定するようにしてもよい。これらのＳＬＳＳは、それぞれ異なる系列にすることで識別可能にしてもよいし、ＰＳＢＣＨの中に含まれるＳＬＳＳの種別を示す識別子により識別可能にしてもよい。
【００９６】
また、優先度情報にこれらのＳＬＳＳを含めるようにしてもよい。ＳＬＳＳ（ＧＰＳ  ｓｙｎｃ．）を受信した場合、ユーザ装置ＵＥは、リレーされた回数が少ないＳＬＳＳ（ＧＰＳ  ｓｙｎｃ．）を用いて同期を行うことが可能になる。
【００９７】
（ＲＳＵから送信される同期信号の優先度について）
本実施の形態では、ＲＳＵから送信されるＳＬＳＳを、ＲＳＵ以外のユーザ装置ＵＥから送信されるＳＬＳＳよりも優先度を高くするようにしてもよい。例えば、ＲＳＵから送信される各ＳＬＳＳと、ＲＳＵ以外のユーザ装置ＵＥから送信される各ＳＬＳＳとを識別可能なようにしておくと共に、優先度情報で、ＧＰＳ信号と、ＳＳ信号と、ＲＳＵから送信される各ＳＬＳＳと、ＲＳＵ以外のユーザ装置ＵＥから送信される各ＳＬＳＳとの優先度を規定するようにしてもよい。図１１は、ＲＳＵから送信される各ＳＬＳＳが、ＲＳＵ以外のユーザ装置ＵＥから送信される各ＳＬＳＳよりも優先度が高くなるように設定された場合の優先度情報の一例を示している。
【００９８】
なお、ＲＳＵから送信される各ＳＬＳＳは、前述のように、ＲＳＵ以外のユーザ装置ＵＥから送信される各ＳＬＳＳとは異なる系列にすることで識別可能にしてもよいし、ＰＳＢＣＨの中に含まれるＳＬＳＳの種別を示す識別子により識別可能にしてもよい。
【００９９】
ＲＳＵは、主に道路脇等に設置されることが想定されており殆ど移動しない前提であることから、移動を前提とするＲＳＵ以外のユーザ装置ＵＥよりも同期信号の精度が高いと考えられる。従って、ＲＳＵが送信する同期信号が優先的に同期に用いられることで、無線通信システム全体で同期精度を高めることが可能になる。
【０１００】
（複数の周波数バンドごとのＧＰＳ同期可否について）
実施の形態における無線通信システム内に複数の周波数バンドが存在する場合、各周波数バンドにおいてＧＰＳ信号を用いた同期を許可するか否かを指定可能にしてもよい。例えば図１２Ａに示すように、無線通信システム内に周波数バンドＡ〜Ｃが存在する場合、周波数バンドＡ及びＣの全セルではＧＰＳ信号を用いた同期を許可し、周波数バンドＢの全セルではＧＰＳ信号を用いた同期を許可しないようにしてもよい。各周波数バンドのセルでＧＰＳ信号を用いた同期が許可されるのか否かについては、各セルを構成する基地局ｅＮＢの各々からの報知情報によりユーザ装置ＵＥに通知されてもよいし、ＳＩＭに予め設定されていてもよい。
【０１０１】
更に、各周波数バンドにおけるセル単位でＧＰＳ同期が許可されるのか否かを報知情報によりユーザ装置ＵＥに通知するようにしてもよい。特定のセル（場所）においてＧＰＳ同期を許可（又は拒否）することが可能になる。また、国別、オペレータ別にＧＰＳ同期が許可されるのか否かを指定するようにしてもよい。具体的には、ＧＰＳ同期を許可するＭＣＣ（Mobile Country Code）又はＭＮＣ（Mobile Network Code）のリストがＳＩＭ内に予め設定されているようにしてもよい。これにより、例えばＧＰＳの利用が許可されていないような特定の地域において、ユーザ装置ＵＥは、ＧＰＳ信号による同期を行わないようにすることが可能になる。
【０１０２】
また、実施の形態における無線通信システム内に複数の周波数バンドが存在する場合であって、かつ、Ｖ２Ｘ（Ｄ２Ｄ通信）のみに用いられる周波数バンドが設定されている場合、Ｄ２Ｄ通信のみに用いられる周波数バンド以外の周波数バンドにおけるセルで送信されるＳＳを用いた同期を許可するか否かを指定可能にしてもよい。
【０１０３】
例えば、図１２Ｂに示すように、周波数バンドＡ〜Ｃが存在し、周波数バンドＡにおける各セルで送信されるＳＳはＧＰＳ信号と同期され、周波数バンドＢにおける各セルで送信されるＳＳはＧＰＳ信号と同期されていないと仮定する。また、周波数バンドＣはＶ２Ｘ（Ｄ２Ｄ）通信のみに用いられる周波数バンドでありＳＳが送信されていないと仮定する。なお、ＳＳとＧＰＳ信号とが同期しているとは、ＳＳにおける無線フレームの同期タイミングと、ＧＰＳ信号及び同期情報から決定される無線フレームの同期タイミングとが一致していることを意味している。
【０１０４】
このような状態において、仮に周波数バンドＣでＤ２Ｄ通信を行おうとしているユーザ装置ＵＥがＧＰＳ信号を受信出来ない場所に存在する場合、周波数バンドＢにおける各セルで送信されるＳＳを用いて同期を行ってしまうと、ＧＰＳ信号を受信可能な場所で同期した場合とは異なる同期タイミングで同期が行われてしまうことになり好ましくない。そこで、基地局ｅＮＢからの報知情報により、ＳＳを用いた同期を許可する周波数バンドと許可しない周波数バンドとをユーザ装置ＵＥに通知するようにしてもよい。
【０１０５】
これにより、Ｖ２Ｘ通信のみを許容するようなセルが設けられた場合に、ＧＰＳ信号と同期していない状態で運用されているセルのＳＳが誤って同期に用いられてしまう可能性を排除することができる。
【０１０６】
（ＧＰＳ信号を用いた同期とＳＳを用いた同期との区別について）
本実施の形態では、ＳＬＳＳ（ＧＰＳ  ｓｙｎｃ．）とＳＬＳＳ（ＮＷ  ｓｙｎｃ．）とを識別可能にしたが、ＳＬＳＳ（ＧＰＳ  ｓｙｎｃ．）とＳＬＳＳ（ＮＷ  ｓｙｎｃ．）とを共通化するようにしてもよい。これにより、同期処理を簡略化することができる。なお、「共通化」とは、ユーザ装置ＵＥが、自身が同期している同期ソースの種別に関わらず同一種別のＳＬＳＳを送信するように動作すること（すなわち、送信観点での共通化）、及び、ＳＬＳＳを受信したユーザ装置ＵＥが同一優先度のＳＬＳＳであると認識するように動作する（すなわち、受信観点での共通化）ことのいずれか又は両方を含む。
【０１０７】
（ＳＬＳＳを送信するユーザ装置の種別について）
本実施の形態では、特定の種別のユーザ装置ＵＥのみにＳＬＳＳの送信を許可するようにしてもよい。例えば、基地局ｅＮＢは、ユーザ装置ＵＥの種別とＳＬＳＳの送信可否とを対応づける送信許可情報を報知情報に含めて送信しておき、ユーザ装置ＵＥは、自身の種別と送信許可情報とを比較し、ＳＬＳＳの送信が許可されていると判断した場合にＳＬＳＳを送信するようにしてもよい。一例として、基地局ｅＮＢは、ＲＳＵのみにＳＬＳＳの送信を許可する送信許可情報を送信するようにしてもよい。
【０１０８】
ＲＳＵは、主に道路脇等に設置されることが想定されているため、殆ど移動しない前提であることから、移動を前提とするＲＳＵ以外のユーザ装置ＵＥよりもＳＬＳＳの精度が高いと考えられる。ＲＳＵのみにＳＬＳＳの送信を許可することで、無線通信システム全体で同期精度を高めることが可能になる。
【０１０９】
（無線フレーム同期と周波数同期について）
本実施の形態では、ユーザ装置ＵＥは、無線フレーム同期に用いる同期信号（ＧＰＳ信号、ＳＳ、各ＳＬＳＳ）と、周波数同期に用いる同期信号（ＧＰＳ信号、ＳＳ、各ＳＬＳＳ）とで、それぞれ異なる優先度が適用されるようにしてもよい。例えば、ユーザ装置ＵＥは、無線フレーム同期に用いる同期信号に対する優先度情報と、周波数同期に用いる同期信号に対する優先度情報とを取得するようにしておき、同期信号を受信した際に、それぞれの優先度情報に従って同期処理を行うようにしてもよい。また基地局ｅＮＢの報知で指定したＶ２Ｘキャリアの時間同期への利用可否・周波数同期への利用可否を通知してもよい。時間同期への利用可否は、ＧＰＳ同期か否か、及び／又はＧＰＳに対する時間オフセットを通知することで間接的に通知してもよい。これにより、例えば、ＧＰＳ信号は無線フレーム同期のみに用いるというような運用を行うことが可能になる。
【０１１０】
（同期の安定性について）
ユーザ装置ＵＥが外部同期ソースからの信号（例えばＧＰＳ信号）を受信できないエリア又はカバレッジ外に移動した場合、他の同期ソースを用いた同期が行われるまでの間に一定時間以上を要し、同期の安定性が損なわれる可能性がある。
【０１１１】
そこで、ユーザ装置ＵＥは、他の同期ソースを用いた同期が行われるまでの間、自走状態により同期を維持できるようにしてもよい。また、自走状態により同期を維持可能な時間を予め設定しておき、当該時間を経過しても他の同期ソースを用いた同期を行うことが出来ない場合は、Ｄ２Ｄ通信を停止または同期ソースをユーザ装置ＵＥ自身に変更するようにしてもよい。また、当該時間は、ユーザ装置ＵＥが備えるクロックの性能に応じて設定されるようにしてもよいし、当該時間を満たすクロックが搭載されるようにしてもよい。
【０１１２】
また、ユーザ装置ＵＥは、直前の同期に用いていた同期ソースよりも優先度の低い同期ソース（ＳＬＳＳ）を用いて同期処理を行うようにしてもよい。また、ユーザ装置ＵＥは、いつでもＳＬＳＳを受信可能なように、ＳＬＳＳをモニタリングし続けるようにしてもよい。また、ＳＬＳＳのモニタリングは、ユーザ装置ＵＥ自身がＳＬＳＳを送信していない場合に行うようにしてもよい。また、ユーザ装置ＵＥがＳＬＳＳをモニタリングするキャリアは、ユーザ装置ＵＥがＤ２Ｄ通信に用いるキャリアと同一キャリアのみでもよいし、Ｄ２Ｄ通信に用いるキャリアに関連付けられたキャリアでもよい。また、ユーザ装置ＵＥは、ＳＬＳＳをリソースプールの先頭のサブフレームで送信することで、受信側のユーザ装置ＵＥｂがＳＬＳＳをモニタリングする際に発生し得る受信ミスが軽減されるようにしてもよい。また、リソースプール内に、他キャリアの同期ソースのモニタリングに用いるギャップ区間を設けることで、ユーザ装置ＵＥが他キャリアの同期ソースをモニタリングしやすくなるようにしてもよい。
【０１１３】
また、ユーザ装置ＵＥは、ＳＬＳＳの送信周期を短くするようにしてもよい。従来のＤ２Ｄでは、ＳＬＳＳの送信周期は４０ｍｓであったが、例えば１０ｍｓにしてもよい。また、ＲＳＵが送信するＳＬＳＳのみ、送信周期を短くするようにしてもよい。また、ＳＬＳＳの送信周期において、ＰＳＢＣＨを送信せずにＳＬＳＳのみを送信する周期を規定してもよい。また、ＰＳＢＣＨを送信せずにＳＬＳＳのみを送信するサブフレームでは、ＳＣＩ及びデータをパンクチャして送信可能にしてもよい。また、高い優先度のＳＬＳＳ例えばＧＰＳソース用のＳＬＳＳの送信サブフレームをサブフレームオフセットなどで設定してもよいし、送信周期を短くしてもよい。
【０１１４】
また、ユーザ装置ＵＥは、常に周期的にＳＬＳＳを送信するようにしてもよい。例えばＧＰＳ同期しているユーザ装置ＵＥは常にＳＬＳＳを送信してもよいし、ユーザ装置ＵＥがＳＬＳＳを常に周期的に送信するのか否かについて、基地局ｅＮＢからＲＲＣ信号、報知情報（ＳＩＢ）、レイヤ１又はレイヤ２の制御信号を介して指示されるようにしてもよいし、又は、基地局ｅＮＢに該当するＲＳＵから指示されるようにしてもよい。また、ＳＩＭに予め設定されていてもよいし、コアネットワークから送信される上位レイヤの制御信号を介して指示されるようにしてもよい。また，カバレッジ内であってもユーザ装置ＵＥはカバレッジ外と同様に動作してもよい（ただし一部の無線パラメータは基地局ｅＮＢから設定され、同期ソースとして基地局ｅＮＢの同期信号を利用してもよい）し、カバレッジ外でのＳＬＳＳ送信条件としてＤ２Ｄ信号の受信レベルの閾値を用いない（例えばマイナス無限大の閾値を設定する）ことでＭｅａｓｕｒｅｍｅｎｔなしで常にＳＬＳＳを送信させてもよい。
【０１１５】
また、ＳＬＳＳ及び／又はＰＳＢＣＨの送信電力を他のチャネル・信号に対して高くする（ブーストする）ことで同期精度を高めても良い。
【０１１６】
（基地局の指示による優先度判定及びカバレッジ外のユーザ装置への反映方法）
現在、３ＧＰＰでは、基地局ｅＮＢは、カバレッジ内のユーザ装置ＵＥに対して、ＧＰＳを同期ソースとして優先的に用いるのか、ＳＳを同期ソースとして優先的に用いるのかの優先度を指示可能にすることが提案されている。ＧＰＳを同期ソースとして優先的に用いるように指示された場合、ユーザ装置ＵＥは基本的にＧＰＳを同期ソースに利用し、ＳＳを同期ソースとして優先的に用いるように指示された場合、ユーザ装置ＵＥは基本的にＳＳを同期ソースに利用するように動作する。また、これまでに説明した動作例に従うと、ＧＰＳを同期ソースとして利用するユーザ装置ＵＥはＳＬＳＳ（ＧＰＳ  ｓｙｎｃ．）を送信し、ＳＳを同期ソースとして利用するユーザ装置ＵＥはＳＬＳＳ（ＮＷ  ｓｙｎｃ．）をカバレッジ外に向けて送信することになる。
【０１１７】
ここで、上述の基地局ｅＮＢの優先度の指示は、カバレッジ外のユーザ装置ＵＥにも反映させるのが望ましいと考えられる。具体的には、ＧＰＳ信号のエリア外かつカバレッジ外のユーザ装置ＵＥがＳＬＳＳ（ＧＰＳ  ｓｙｎｃ．）及びＳＬＳＳ（ＮＷ  ｓｙｎｃ．）の両方を受信した場合、当該ユーザ装置ＵＥは、カバレッジ内で基地局ｅＮＢが指示している同期ソースに対応するＳＬＳＳと同期することが望ましいと考えられる。しかしながら、カバレッジ外のユーザ装置ＵＥは、基地局ｅＮＢからの優先度の指示を直接受信することができないため、カバレッジ外のユーザ装置ＵＥはどちらのＳＬＳＳと同期すべきかを判断することができない。
【０１１８】
これまでに説明した処理手順では、ユーザ装置ＵＥは、カバレッジ外で複数のＳＬＳＳを受信した場合、優先度情報に基づいてどのＳＬＳＳと同期すべきなのかを選択するようにしていた。つまり、基地局ｅＮＢからの優先度の指示を優先度情報にも反映させることで、これまでに説明した処理手順をそのまま用いて解決できるとも考えられる。しかしながら、基地局ｅＮＢからの優先度の指示が変更された場合、優先度情報との不一致が発生する可能性があり、カバレッジ外のユーザ装置ＵＥに、基地局ｅＮＢからの優先度の指示を適切に反映させることができない可能性がある。
【０１１９】
カバレッジ外のユーザ装置ＵＥに対しても、基地局ｅＮＢからの優先度の指示を適切に反映させるために、本無線通信システムでは、以下に説明する処理手順を用いるようにしてもよい。
【０１２０】
［概要］
本処理手順では、ＳＬＳＳの種別ごとの優先度（優先順位）を予め規定しておき、カバレッジ内のユーザ装置ＵＥは、基地局ｅＮＢからの優先度の指示と自身が同期している同期ソースとに基づいて、基地局ｅＮＢからの指示に応じた優先度の種別のＳＬＳＳを送信するようにする。また、カバレッジ内のユーザ装置ＵＥは、基地局ｅＮＢからの優先度の指示が切り替わった場合、基地局ｅＮＢからの指示に応じた優先度の種別のＳＬＳＳを送信するように切替える。カバレッジ外で複数のＳＬＳＳを受信したユーザ装置ＵＥは、予め規定されたＳＬＳＳの種別間の優先度に従って、どのＳＬＳＳと同期すべきなのかを判断する。これにより、カバレッジ外のユーザ装置ＵＥに、基地局ｅＮＢからの優先度の指示が反映され、カバレッジ外のユーザ装置ＵＥは、同期すべきＳＬＳＳを適切に判断することができる。
【０１２１】
［ＳＬＳＳの種別について］
本処理手順では、複数の種別のＳＬＳＳを用いるため、ユーザ装置ＵＥは複数のＳＬＳＳの種別を識別できるようにする必要がある。そこで、本処理手順では、ＳＬＳＳの種別ごとにそれぞれ異なる系列を割当てることで、ＳＬＳＳの種別を識別可能にしてもよい。
【０１２２】
また、ＳＬＳＳと同時に送信されるＰＳＢＣＨの中にＳＬＳＳの種別を示す識別子を含めることでＳＬＳＳを識別可能にしてもよい。当該識別子は、リザーブ領域（Reserved bits）に格納されてもよい。また、ＳＬＳＳと同時に送信されるＰＳＢＣＨに含まれるＤＦＮ、ＴＤＤ  ＵＬ−ＤＬ  ｃｏｎｆｉｇ、Ｓｉｄｅｌｉｎｋ  ｓｙｓｔｅｍ  ｂａｎｄｗｉｄｔｈ設定用の領域を用いて、これらの領域に設定される値によりＳＬＳＳの種別を識別可能にしてもよい。Ｖ２Ｘでは、これらの領域及び従来のＬＴＥで規定されている設定値の全部又は一部が使用されないことが想定されるため、使用されない領域及び設定値を流用することが可能である。
【０１２３】
また、ＳＬＳＳと同時に送信されるＰＳＢＣＨに含まれるＩｎ−ｃｏｖｅｒａｇｅ  ｉｎｄｉｃａｔｏｒの設定値を用いて、ＳＬＳＳの種別を識別可能にしてもよい。また、ＳＬＳＳと同時に送信される、ＰＳＢＣＨとは異なる新たな物理チャネルを規定し、新たな物理チャネルに当該識別子を格納するようにしてもよい。
【０１２４】
また、ＰＳＢＣＨなどＳＬＳＳと共に送信されるＤＭ−ＲＳの系列とＳＬＳＳの種別とを対応づけることで、ＳＬＳＳの種別を識別可能にしてもよい。
【０１２５】
本処理手順において、ＳＬＳＳの種別として規定可能な数に制限はない。本処理手順の説明においては、ユーザ装置ＵＥは、上述のいずれかの方法又は上述のいずれかの方法の組み合わせによりＳＬＳＳの種別を認識可能である前提で説明する。つまり、本処理手順の説明においても、前述したように、ユーザ装置ＵＥが所定の種別のＳＬＳＳを送信することには、「所定の種別のＳＬＳＳに対応する系列のＳＬＳＳを送信する」こと、及び、「ＳＬＳＳ及びＳＬＳＳの種別に対応する情報を含むＰＳＢＣＨの両方を送信すること」のいずれか又は両方を示す意味で用いる。また、ユーザ装置ＵＥが受信したＳＬＳＳの種別を識別することには、「受信したＳＬＳＳの系列を用いてＳＬＳＳの種別を識別する」こと、及び、「ＳＬＳＳ及びＰＳＢＣＨの両方を受信し、受信したＳＬＳＳとＰＳＢＣＨに含まれる情報とを用いてＳＬＳＳの種別を識別すること」のいずれか又は両方を示す意味で用いる。
【０１２６】
［優先度情報について］
本処理手順で用いる優先度情報には、ＳＬＳＳの種別と優先度（優先順位）とが対応づけて格納される。例えば、ＳＬＳＳの種別が５種類（ＳＬＳＳ＿Ａ〜Ｅ）である場合の優先度情報の一例を図１３に示す。図１３の例では、ＳＬＳＳ＿Ａの優先度が最も高く、ＳＬＳＳ＿Ｅの優先度が最も低いことを示している。カバレッジ外で複数の種別のＳＬＳＳを受信したユーザ装置ＵＥは、優先度情報を用いて、受信した各ＳＬＳＳの各々の優先度を判断し、最も優先度が高いＳＬＳＳと同期を行うように動作する。
【０１２７】
優先度情報は、図６又は図１１に示す優先度情報と組み合わせてもよい。例えば、図６又は図１１に示す優先度情報のうち、ＳＬＳＳに関する部分を図１３に示すようなＳＬＳＳの種別に置き換えてもよい。また、図６又は図１１に示す優先度情報とは異なる別個の情報としてユーザ装置ＵＥに設定され、又は図１３に示すような優先度自体がユーザ装置ＵＥを動作させるためのプログラムに処理ロジックとして組み込まれていてもよい。
【０１２８】
［同期ソースと各ＳＬＳＳの優先度との対応づけ、及び動作例］
続いて、同期ソースと各ＳＬＳＳの優先度との対応づけ及び動作例について、図を用いて具体例を説明する。なお、受信側のユーザ装置ＵＥがどのＳＬＳＳと同期するかを選択する動作については必要に応じて省略しつつ説明する。
【０１２９】
図１４Ａ〜Ｃ、図１５Ａ〜Ｄ、図１６Ａ〜Ｄ、図１７Ａ〜Ｅ、及び図１８において、「優先度１」〜「優先度５」は、各同期ソースの優先度を示すと共に、各同期ソースが、優先度情報に規定された優先度に対応する種別のＳＬＳＳに対応づけられることを示す。例えば、「優先度１」は、最も優先度の高い同期ソースであることを示すと共に、優先度１のＳＬＳＳ（図１３の例ではＳＬＳＳ＿Ａ）に対応づけられることを示す。
【０１３０】
「ｅＮＢ（ＩｎＣ）」は、カバレッジ内（Ｉｎ  Ｃｏｖｅｒａｇｅ）の基地局ｅＮＢから送信されるＳＳが同期ソースに用いられる場合を意味している。「ＧＰＳ」は、ＧＰＳ信号が同期ソースに用いられる場合を意味している。「ｉｓｏｌａｔｅｄ  ｓｏｕｒｃｅ」は、ユーザ装置ＵＥ内部のクロックが同期ソースに用いられる場合を意味している。
【０１３１】
また、図１４Ａ〜Ｃ、図１５Ａ〜Ｄ、図１６Ａ〜Ｄ、図１７Ａ〜Ｅ、及び図１８において、図の中に記載されていない同期ソースについては、当該同期ソースと同期しているユーザ装置ＵＥは、ＳＬＳＳを送信しないことを意図している。
【０１３２】
図１４Ａの例では、「ｅＮＢ（ＩｎＣ）」及び「ＧＰＳ」は「優先度１」であると共に「優先度１」のＳＬＳＳの種別に対応づけられ、「ｉｓｏｌａｔｅｄ  ｓｏｕｒｃｅ」は「優先度２」であると共に「優先度２」のＳＬＳＳの種別に対応づけられている。
【０１３３】
図１４Ａの例では、カバレッジ内（Ｉｎ  ｃｏｖｅｒａｇｅ）の基地局ｅＮＢから送信されるＳＳ又はＧＰＳ信号と同期しているユーザ装置ＵＥがＳＬＳＳを送信する場合、「優先度１」に対応する種別のＳＬＳＳを送信する。また、ユーザ装置ＵＥ内部のクロックと同期しているユーザ装置ＵＥがＳＬＳＳを送信する場合、「優先度２」に対応する種別のＳＬＳＳを送信する。カバレッジ外で「優先度１」であるＳＬＳＳと「優先度２」であるＳＬＳＳの両方のＳＬＳＳを受信したユーザ装置ＵＥは、「優先度１」に対応するＳＬＳＳと同期を行う。
【０１３４】
図１４Ｂの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度２」であると共に「優先度２」のＳＬＳＳの種別に対応づけられる。また、「ＧＰＳ」は「優先度２」であると共に「優先度２」のＳＬＳＳの種別に対応づけられる。
【０１３５】
図１４Ｂの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度２」に対応する種別のＳＬＳＳを送信する。また、ＧＰＳと同期しているユーザ装置ＵＥがＳＬＳＳを送信する場合、「優先度２」に対応する種別のＳＬＳＳを送信する。なお、図１４Ｂの例では、図１４Ａとは異なり、同期ソースに「ｉｓｏｌａｔｅｄ  ｓｏｕｒｃｅ」が記載されていない。すなわち、図１４Ｂの例では、「ｉｓｏｌａｔｅｄ  ｓｏｕｒｃｅ」と同期しているユーザ装置ＵＥは、ＳＬＳＳを送信しない。
【０１３６】
図１４Ｃの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ＧＰＳ」は「優先度２」であると共に「優先度２」のＳＬＳＳの種別に対応づけられる。
【０１３７】
図１４Ｃの例では、基地局ｅＮＢがカバレッジ内でＳＳを同期ソースとして優先的に用いるように指示している場合、カバレッジ内（Ｉｎ  ｃｏｖｅｒａｇｅ）の基地局ｅＮＢから送信されるＳＳと同期しているユーザ装置ＵＥは、「優先度１」に対応する種別のＳＬＳＳを送信する。また、ＧＰＳと同期しているユーザ装置ＵＥがＳＬＳＳを送信する場合、「優先度２」に対応する種別のＳＬＳＳを送信する。なお、図１４Ｃの例では、図１４Ｂの例と異なり、基地局ｅＮＢがカバレッジ内でＧＰＳを同期ソースとして優先的に用いるように指示している場合が記載されていない。すなわち、図１４Ｃの例では、基地局ｅＮＢがカバレッジ内でＧＰＳを同期ソースとして優先的に用いるように指示している場合、ＳＳと同期しているユーザ装置ＵＥは、ＳＬＳＳを送信しない。
【０１３８】
図１５Ａの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度２」であると共に「優先度２」のＳＬＳＳの種別に対応づけられる。また、「ＧＰＳ」は「優先度２」であると共に「優先度２」のＳＬＳＳの種別に対応づけられる。また、「ｉｓｏｌａｔｅｄ  ｓｏｕｒｃｅ」は「優先度３」であると共に「優先度３」のＳＬＳＳの種別に対応づけられている。
【０１３９】
図１５Ａの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度２」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度３」に対応する種別のＳＬＳＳを送信する。カバレッジ外で「優先度１」であるＳＬＳＳ、「優先度２」であるＳＬＳＳ及び「優先度３」であるＳＬＳＳのうち複数のＳＬＳＳを受信したユーザ装置ＵＥは、最も優先度が高いＳＬＳＳと同期を行う。
【０１４０】
図１５Ｂの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ＧＰＳ」は「優先度２」であると共に「優先度２」のＳＬＳＳの種別に対応づけられる。また、「ｉｓｏｌａｔｅｄ  ｓｏｕｒｃｅ」は「優先度３」であると共に「優先度３」のＳＬＳＳの種別に対応づけられている。
【０１４１】
図１５Ｂの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度３」に対応する種別のＳＬＳＳを送信する。
【０１４２】
図１５Ｃの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度３」であると共に「優先度３」のＳＬＳＳの種別に対応づけられる。また、「ＧＰＳ」は「優先度２」であると共に「優先度２」のＳＬＳＳの種別に対応づけられる。
【０１４３】
図１５Ｃの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度３」に対応する種別のＳＬＳＳを送信する。また、ＧＰＳと同期しているユーザ装置ＵＥがＳＬＳＳを送信する場合、「優先度２」に対応する種別のＳＬＳＳを送信する。
【０１４４】
図１５Ｄの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度３」であると共に「優先度３」のＳＬＳＳの種別に対応づけられる。また、「ＧＰＳ」は「優先度２」であると共に「優先度２」のＳＬＳＳの種別に対応づけられる。また、「ｉｓｏｌａｔｅｄ  ｓｏｕｒｃｅ」は「優先度４」であると共に「優先度４」のＳＬＳＳの種別に対応づけられている。
【０１４５】
図１５Ｄの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度３」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度４」に対応する種別のＳＬＳＳを送信する。カバレッジ外で「優先度１」であるＳＬＳＳ、「優先度２」であるＳＬＳＳ及び「優先度３」であるＳＬＳＳのうち複数のＳＬＳＳを受信したユーザ装置ＵＥは、最も優先度が高いＳＬＳＳと同期を行う。
【０１４６】
以上、図１４Ａ〜Ｃ及び図１５Ａ〜Ｄを用いて、同期ソースとＳＬＳＳの種別との対応づけについて複数のバリエーションを用いて説明した。図１４Ａ〜Ｃ及び図１５Ａ〜Ｄの例は、同期ソースがＳＬＳＳ以外である場合を例示したが、以下の例に示すように、同期ソースにＳＬＳＳを含めるようにしてもよい。
【０１４７】
以下の説明において、「ｅＮＢ（ＯｏＣ）」は、カバレッジ内でＳＳを同期ソースに用いているユーザ装置ＵＥから送信されたＳＬＳＳが同期ソースに用いられる場合を意味している。
【０１４８】
図１６Ａの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ｅＮＢ（ＯｏＣ）」も「優先度１」であると共に「優先度１」のＳＬＳＳの種別に対応づけられる。また、「ＧＰＳ」は「優先度２」であると共に「優先度２」のＳＬＳＳの種別に対応づけられる。
【０１４９】
図１６Ａの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、カバレッジ内でＳＳを同期ソースに用いているユーザ装置ＵＥから送信されたＳＬＳＳ（図１６Ａの例では、「優先度１」である種別のＳＬＳＳと同一）と同期しているユーザ装置ＵＥは、「優先度１」に対応する種別のＳＬＳＳを送信する。また、ＧＰＳと同期しているユーザ装置ＵＥがＳＬＳＳを送信する場合、「優先度２」に対応する種別のＳＬＳＳを送信する。
【０１５０】
図１６Ｂの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ｅＮＢ（ＯｏＣ）」は「優先度２」であると共に「優先度２」のＳＬＳＳの種別に対応づけられる。また、「ＧＰＳ」は「優先度２」であると共に「優先度２」のＳＬＳＳの種別に対応づけられる。
【０１５１】
図１６Ｂの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、カバレッジ内でＳＳを同期ソースに用いているユーザ装置ＵＥから送信されたＳＬＳＳ（図１６Ｂの例では、「優先度１」である種別のＳＬＳＳと同一）と同期しているユーザ装置ＵＥは、「優先度２」に対応する種別のＳＬＳＳを送信する。また、ＧＰＳと同期しているユーザ装置ＵＥがＳＬＳＳを送信する場合、「優先度２」に対応する種別のＳＬＳＳを送信する。
【０１５２】
図１６Ｃの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ｅＮＢ（ＯｏＣ）」は「優先度２」であると共に「優先度２」のＳＬＳＳの種別に対応づけられる。また、「ＧＰＳ」は「優先度２」であると共に「優先度２」のＳＬＳＳの種別に対応づけられる。また、「ｉｓｏｌａｔｅｄ  ｓｏｕｒｃｅ」は「優先度３」であると共に「優先度３」のＳＬＳＳの種別に対応づけられている。
【０１５３】
図１６Ｃの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、カバレッジ内でＳＳを同期ソースに用いているユーザ装置ＵＥから送信されたＳＬＳＳ（図１６Ｃの例では、「優先度１」である種別のＳＬＳＳと同一）と同期しているユーザ装置ＵＥは、「優先度２」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度３」に対応する種別のＳＬＳＳを送信する。
【０１５４】
図１６Ｄの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度３」であると共に「優先度３」のＳＬＳＳの種別に対応づけられる。また、「ＧＰＳ」は「優先度２」であると共に「優先度２」のＳＬＳＳの種別に対応づけられる。また、「ｅＮＢ（ＯｏＣ）」は「優先度３」であると共に「優先度３」のＳＬＳＳの種別に対応づけられる。
【０１５５】
図１６Ｄの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、カバレッジ内でＳＳを同期ソースに用いているユーザ装置ＵＥから送信されたＳＬＳＳ（図１６Ｄの例では、「優先度１」である種別のＳＬＳＳと同一）と同期しているユーザ装置ＵＥは、「優先度３」に対応する種別のＳＬＳＳを送信する。また、ＧＰＳと同期しているユーザ装置ＵＥがＳＬＳＳを送信する場合、「優先度２」に対応する種別のＳＬＳＳを送信する。
【０１５６】
図１７Ａの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ＧＰＳ」は「優先度２」であると共に「優先度２」のＳＬＳＳの種別に対応づけられる。また、「ｅＮＢ（ＯｏＣ）」は「優先度３」であると共に「優先度３」のＳＬＳＳの種別に対応づけられる。また、「ｉｓｏｌａｔｅｄ  ｓｏｕｒｃｅ」は「優先度３」であると共に「優先度３」のＳＬＳＳの種別に対応づけられている。
【０１５７】
図１７Ａの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、カバレッジ内でＳＳを同期ソースに用いているユーザ装置ＵＥから送信されたＳＬＳＳ（図１７Ａの例では、「優先度１」である種別のＳＬＳＳと同一）と同期しているユーザ装置ＵＥは、「優先度３」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度３」に対応する種別のＳＬＳＳを送信する。
【０１５８】
図１７Ｂの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられる。また、「ＧＰＳ」は「優先度２」であると共に「優先度２」のＳＬＳＳの種別に対応づけられる。また、「ｅＮＢ（ＯｏＣ）」は「優先度３」であると共に「優先度３」のＳＬＳＳの種別に対応づけられる。
【０１５９】
図１７Ｂの例では、基地局ｅＮＢがカバレッジ内でＳＳを同期ソースとして優先的に用いるように指示している場合、カバレッジ内の基地局ｅＮＢから送信されるＳＳと同期しているユーザ装置ＵＥは、「優先度１」に対応する種別のＳＬＳＳを送信する。また、カバレッジ内でＳＳを同期ソースに用いているユーザ装置ＵＥから送信されたＳＬＳＳ（図１７Ａの例では、「優先度１」である種別のＳＬＳＳと同一）と同期しているユーザ装置ＵＥは、「優先度３」に対応する種別のＳＬＳＳを送信する。また、ＧＰＳと同期しているユーザ装置ＵＥがＳＬＳＳを送信する場合、「優先度２」に対応する種別のＳＬＳＳを送信する。
【０１６０】
図１７Ｃの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度３」であると共に「優先度３」のＳＬＳＳの種別に対応づけられる。また、「ＧＰＳ」は「優先度２」であると共に「優先度２」のＳＬＳＳの種別に対応づけられる。また、「ｅＮＢ（ＯｏＣ）」は「優先度３」であると共に「優先度３」のＳＬＳＳの種別に対応づけられる。また、「ｉｓｏｌａｔｅｄ  ｓｏｕｒｃｅ」は「優先度４」であると共に「優先度４」のＳＬＳＳの種別に対応づけられている。
【０１６１】
図１７Ｃの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度３」に対応する種別のＳＬＳＳを送信する。また、カバレッジ内でＳＳを同期ソースに用いているユーザ装置ＵＥから送信されたＳＬＳＳ（図１７Ｃの例では、「優先度１」である種別のＳＬＳＳと同一）と同期しているユーザ装置ＵＥは、「優先度３」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度４」に対応する種別のＳＬＳＳを送信する。
【０１６２】
図１７Ｄの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度３」であると共に「優先度３」のＳＬＳＳの種別に対応づけられる。また、「ＧＰＳ」は「優先度２」であると共に「優先度２」のＳＬＳＳの種別に対応づけられる。また、「ｅＮＢ（ＯｏＣ）」は「優先度４」であると共に「優先度４」のＳＬＳＳの種別に対応づけられる。また、「ｉｓｏｌａｔｅｄ  ｓｏｕｒｃｅ」は「優先度４」であると共に「優先度４」のＳＬＳＳの種別に対応づけられている。
【０１６３】
図１７Ｄの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度３」に対応する種別のＳＬＳＳを送信する。また、カバレッジ内でＳＳを同期ソースに用いているユーザ装置ＵＥから送信されたＳＬＳＳ（図１７Ｄの例では、「優先度１」である種別のＳＬＳＳと同一）と同期しているユーザ装置ＵＥは、「優先度４」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ユーザ装置ＵＥ内部のクロックと同期しているユーザ装置ＵＥがＳＬＳＳを送信する場合、「優先度４」に対応する種別のＳＬＳＳを送信する。
【０１６４】
図１７Ｅの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして用いるように指示している場合、「ｅＮＢ（ＩｎＣ）」は「優先度３」であると共に「優先度３」のＳＬＳＳの種別に対応づけられる。また、「ＧＰＳ」は「優先度２」であると共に「優先度２」のＳＬＳＳの種別に対応づけられる。また、「ｅＮＢ（ＯｏＣ）」は「優先度４」であると共に「優先度４」のＳＬＳＳの種別に対応づけられる。
【０１６５】
図１７Ｅの例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度３」に対応する種別のＳＬＳＳを送信する。また、カバレッジ内でＳＳを同期ソースに用いているユーザ装置ＵＥから送信されたＳＬＳＳ（図１７Ｅの例では、「優先度１」である種別のＳＬＳＳと同一）と同期しているユーザ装置ＵＥは、「優先度４」に対応する種別のＳＬＳＳを送信する。また、ＧＰＳと同期しているユーザ装置ＵＥがＳＬＳＳを送信する場合、「優先度２」に対応する種別のＳＬＳＳを送信する。
【０１６６】
以上、図１６Ａ〜Ｄ及び図１７Ａ〜Ｅを用いて、同期ソースとＳＬＳＳの種別との対応づけについて説明した。
【０１６７】
なお、以下に示すように、ＧＰＳについても、ＳＳと同様に、ＧＰＳ信号のエリア内でＧＰＳを同期ソースに用いているユーザ装置ＵＥから送信されたＳＬＳＳが同期ソースに用いられる場合を規定してもよい。以下の説明において、「ＧＰＳ（ＩｎＣ）」は、ＧＰＳ信号が直接同期ソースに用いられる場合を意味しており、「ＧＰＳ（ＯｏＣ）」は、ＧＰＳのエリア内でＧＰＳ信号を同期ソースに用いているユーザ装置ＵＥから送信されたＳＬＳＳが同期ソースに用いられる場合を意味している。
【０１６８】
図１８の例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、基地局ｅＮＢがカバレッジ内でＧＰＳを同期ソースとして優先的に用いるように指示している場合、「ｅＮＢ（ＩｎＣ）」は「優先度４」であると共に「優先度４」のＳＬＳＳの種別に対応づけられる。また、「ＧＰＳ（ＩｎＣ）」は「優先度２」であると共に「優先度２」のＳＬＳＳの種別に対応づけられ、「ＧＰＳ（ＯｏＣ）」は「優先度３」であると共に「優先度３」のＳＬＳＳの種別に対応づけられる。また、「ｅＮＢ（ＯｏＣ）」は「優先度４」であると共に「優先度４」のＳＬＳＳの種別に対応づけられる。また、「ｉｓｏｌａｔｅｄ  ｓｏｕｒｃｅ」は「優先度４」であると共に「優先度４」のＳＬＳＳの種別に対応づけられている。
【０１６９】
図１８の例では、カバレッジ内の基地局ｅＮＢから送信されるＳＳと同期しているユーザ装置ＵＥがＳＬＳＳを送信する場合、基地局ｅＮＢの指示に従って、「優先度１」又は「優先度４」に対応する種別のＳＬＳＳを送信する。また、カバレッジ内でＳＳを同期ソースに用いているユーザ装置ＵＥから送信されたＳＬＳＳ（図１８の例では、「優先度１」である種別のＳＬＳＳと同一）と同期しているユーザ装置ＵＥは、「優先度４」に対応する種別のＳＬＳＳを送信する。また、ＧＰＳと同期しているユーザ装置ＵＥがＳＬＳＳを送信する場合、「優先度２」に対応する種別のＳＬＳＳを送信する。また、ＧＰＳのエリア内でＧＰＳを同期ソースに用いているユーザ装置ＵＥから送信されたＳＬＳＳ（図１８の例では、「優先度２」である種別のＳＬＳＳと同一）と同期しているユーザ装置ＵＥは、「優先度３」に対応する種別のＳＬＳＳを送信する。また、ユーザ装置ＵＥ内部のクロックと同期しているユーザ装置ＵＥがＳＬＳＳを送信する場合、「優先度５」に対応する種別のＳＬＳＳを送信する。カバレッジ外で「優先度１」〜「優先度５」であるＳＬＳＳのうち複数のＳＬＳＳを受信したユーザ装置ＵＥは、最も優先度が高いＳＬＳＳと同期を行う。
【０１７０】
［ＳＬＳＳの種別と優先度との対応関係について］
上述の説明では、図１３に示すように１つの優先度に１つのＳＬＳＳの種別を対応づけるようにしたが、１つの優先度に複数のＳＬＳＳの種別を対応づけるようにしてもよい。
【０１７１】
具体例として、「優先度１」のＳＬＳＳとして、ＳＬＳＳ＿Ａ及びＳＬＳＳ＿Ｂとを対応づけておき、更に、同期ソースと各ＳＬＳＳの優先度との対応づけを行う際に、「ｅＮＢ（ＩｎＣ）」を「優先度１」であるＳＬＳＳのうちＳＬＳＳ＿Ａに対応づけて、「ＧＰＳ」を「優先度１」であるＳＬＳＳのうちＳＬＳＳ＿Ｂに対応づけるようにしてもよい。同一優先度であるＳＬＳＳ＿Ａ及びＳＬＳＳ＿Ｂの両方を受信したユーザ装置ＵＥは、任意のＳＬＳＳ若しくは受信品質が良好なＳＬＳＳと同期するようにしてもよい。
【０１７２】
［基地局の指示による優先度判定をカバレッジ外のユーザ装置に反映させない方法］
図１４Ａ〜Ｃ、図１５Ａ〜Ｄ、図１６Ａ〜Ｄ、図１７Ａ〜Ｅ、及び図１８の例では、基地局ｅＮＢから指示された優先度がＳＬＳＳの優先度に反映されるようにした。例えば、図１５Ｃの例では、基地局ｅＮＢがカバレッジ内でＳＳを同期ソースとして優先的に用いるように指示している場合、「ｅＮＢ（ＩｎＣ）」は「優先度１」であると共に「優先度１」のＳＬＳＳの種別に対応づけられ、「ＧＰＳ」は「優先度２」であると共に「優先度２」のＳＬＳＳの種別に対応づけられる。つまり、ＧＰＳを同期ソースとして用いるユーザ装置ＵＥが送信するＳＬＳＳよりも、ＳＳを同期ソースとして用いるユーザ装置ＵＥから送信されるＳＬＳＳの優先度が高くなる。逆に、基地局ｅＮＢがカバレッジ内でＧＰＳを同期ソースとして優先的に用いるように指示している場合、「ｅＮＢ（ＩｎＣ）」は「優先度３」であると共に「優先度３」のＳＬＳＳの種別に対応づけられ、「ＧＰＳ」は「優先度２」であると共に「優先度２」のＳＬＳＳの種別に対応づけられる。つまり、ＳＳを同期ソースとして用いるユーザ装置ＵＥが送信するＳＬＳＳよりも、ＧＰＳを同期ソースとして用いるユーザ装置ＵＥから送信されるＳＬＳＳの優先度が高くなる。
【０１７３】
しかしながら、カバレッジ内での同期ソースの優先度を、カバレッジ外に反映させる必要がない場合も想定される。
【０１７４】
そこで、各同期ソースとＳＬＳＳの種類とを予め１対１に固定的に規定しておくと共に、ユーザ装置ＵＥは、カバレッジ内で基地局ｅＮＢからの指示に従って同期ソース（ＳＳ及びＧＰＳ）の優先度を判定し、カバレッジ外では、例えば、図１９Ａに示す優先度情報に従って同期を行うようにしてもよい。なお、図１９Ａにおいて、「ＳＬＳＳ（ＧＰＳ  ｓｙｎｃ．ｒｅｌａｙ）」は、ＳＬＳＳ（ＧＰＳ  ｓｙｎｃ．）を同期ソースに用いているユーザ装置ＵＥが送信したＳＬＳＳを意図しており、「ＳＬＳＳ（ＮＷ  ｓｙｎｃ．ｒｅｌａｙ）」は、ＳＬＳＳ（ＮＷ  ｓｙｎｃ．）を同期ソースに用いているユーザ装置ＵＥが送信したＳＬＳＳを意図している。
【０１７５】
これにより、仮に基地局ｅＮＢがカバレッジ内でＳＳを同期ソースとして優先的に用いるように指示している場合であっても、カバレッジ外のユーザ装置ＵＥは、図１９Ａに従って、ＧＰＳ信号又はＧＰＳを同期ソースとして用いるユーザ装置ＵＥから送信されるＳＬＳＳ（ＧＰＳ  ｓｙｎｃ．又はＧＰＳ  ｓｙｎｃ．ｒｅｌａｙ）と同期することが可能になる。
【０１７６】
図１９Ａの優先度情報は一例であり、ネットワークの運用に応じて、図１９Ｂに示すように、簡略化された優先度情報が用いられてもよい。例えば、カバレッジ外ではＳＳとの同期を許容しないように運用されているキャリアでは、図１９Ｂに示す簡略化された優先度情報が用いられるようにしてもよい。ＧＰＳが同期ソースであるＳＬＳＳとＳＳが同期ソースであるＳＬＳＳに同一の優先度を与えてもよい。なお、図１９Ｂの例では、３種類の優先度グループのみが規定されている。従って、従来のＬＴＥで規定されているＳＬＳＳ系列およびＰＳＢＣＨ内の識別子を用いた３種類の優先度グループをそのまま流用することも可能であるし、それ以上の識別能力をもたせた場合であっても、不要な優先度を規定しないことでＳＬＳＳ及び／又はＰＳＢＣＨの受信レベル、及び／又は品質に応じた適切な同期ソース選択を確実にすることができる。
【０１７７】
以上、基地局の指示による優先度判定及びカバレッジ外のユーザ装置への反映方法について説明した。
【０１７８】
（ＳＬＳＳが送信されるサブフレームについて）
ユーザ装置ＵＥは、同期ソースが異なるＳＬＳＳを同一のサブフレームで送信するようにしてもよい。図２０Ａの例は、ＧＰＳを同期ソースとするＳＬＳＳと、ＳＳを同期ソースとするＳＬＳＳとが同一のサブフレームで送信される場合を図示している。なお、同一サブフレームで複数のＳＬＳＳを受信したユーザ装置ＵＥがそれぞれのＳＬＳＳを識別可能にするため、ＳＬＩＤ（ＳＬＳＳＩＤ）は異なる値である必要がある。ＳＬＩＤの値は基地局ｅＮＢからユーザ装置ＵＥに設定（ｃｏｎｆｉｇｕｒｅ）されるようにしてもよい。
【０１７９】
また、ユーザ装置ＵＥは、同期ソースが異なるＳＬＳＳを、同期ソースに応じて予め異なる値に設定されたオフセット値に従い、異なるサブフレームで送信するようにしてもよい。図２０Ｂの例は、ＧＰＳを同期ソースとするＳＬＳＳと、ＳＳを同期ソースとするＳＬＳＳとが異なるサブフレームで送信される場合を図示している。オフセット値は基地局ｅＮＢからユーザ装置ＵＥに設定（ｃｏｎｆｉｇｕｒｅ）されるようにしてもよい。
【０１８０】
（複数キャリア運用時のＳＬＳＳ同期）
複数キャリアを用いてＤ２Ｄ通信が行なわれる場合、キャリア間の同期優先度を規定して、例えば特定のキャリアが優先的に同期ソースとして用いられるようにしてもよい。すなわち、優先度が高いキャリアに、上記のキャリア内での優先度（図１３〜図１８を用いて説明した処理手順）を適用して同期動作を行う。この同期リファレンスは同期信号が受信されたキャリア以外（例えば予め設定された同期キャリアリストに含まれるキャリア）にも適用される。このような動作により、全キャリアでの同期ソースのサーチが不要になり、かつキャリア間同期が実現される。
【０１８１】
＜機能構成＞
以上説明した実施の形態の動作を実行するユーザ装置ＵＥと基地局ｅＮＢとの機能構成例を説明する。
【０１８２】
（ユーザ装置）
図２１は、実施の形態に係るユーザ装置の機能構成の一例を示す図である。図２１に示すように、ユーザ装置ＵＥは、信号送信部１０１と、信号受信部１０２と、外部同期ソース信号受信部１０３と、同期処理部１０４と、指示部１０５とを有する。なお、図２１は、ユーザ装置ＵＥにおいて本発明の実施の形態に特に関連する機能部のみを示すものであり、少なくともＬＴＥに準拠した動作を行うための図示しない機能も有するものである。また、図２１に示す機能構成は一例に過ぎない。本実施の形態に係る動作を実行できるのであれば、機能区分及び機能部の名称はどのようなものでもよい。
【０１８３】
信号送信部１０１は、ユーザ装置ＵＥから送信されるべき上位のレイヤの信号から、物理レイヤの各種信号を生成し、無線送信する機能を含む。また、信号送信部１０１は、Ｄ２Ｄ信号の送信機能とセルラー通信の送信機能を有する。また、信号送信部１０１は、指示部１０５からの指示に基づき、他のユーザ装置ＵＥに向けてＳＬＳＳ及びＰＳＢＣＨを送信する機能を有する。
【０１８４】
また、信号送信部１０１は、無線リソース割当情報に基づき、ユーザ装置ＵＥ自身の種別がＲＳＵである場合、ＲＳＵがＤ２Ｄ信号を送信可能な期間でＤ２Ｄ信号を送信し、ユーザ装置ＵＥ自身の種別がＲＳＵ以外のユーザ装置ＵＥである場合は、ＲＳＵ以外のユーザ装置ＵＥがＤ２Ｄ信号を送信可能な期間でＤ２Ｄ信号を送信するようにしてもよい。
【０１８５】
また、信号送信部１０１は、同期処理部１０４が同期している同期ソースに対応する優先度のＳＬＳＳを送信する機能を有する。例えば、信号送信部１０１は、同期処理部１０４が外部同期ソースの信号と同期している場合は、外部同期ソースに対応する優先度のＳＬＳＳを送信し、同期処理部１０４がＳＳと同期している場合は、ＳＳに対応する優先度のＳＬＳＳを送信するようにしてもよい。
【０１８６】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、Ｄ２Ｄ信号の受信機能とセルラー通信の受信機能を有する。また、信号受信部１０２は、同期処理を行う際に用いる各種情報（優先度情報、同期情報、ＳＬＳＳの種別を示す識別子、ＰＳＢＣＨに含める情報、無線リソース割当情報、送信許可情報等）を基地局ｅＮＢから受信する機能を含む。
【０１８７】
外部同期ソース信号受信部１０３は、外部同期ソースの信号（ＧＰＳ信号等）を受信する。また、外部同期ソース信号受信部１０３は、ＰＰＳを生成して出力する機能を有してもよい。
【０１８８】
同期処理部１０４は、外部同期ソースの信号、ＳＳ又はＳＬＳＳを用いて無線フレーム及び周波数同期を行う。また、同期処理部１０４は、優先度情報に従い、外部同期ソースの信号、ＳＳ又はＳＬＳＳのうちいずれか１つを用いて同期を行うようにしてもよい。
【０１８９】
また、同期処理部１０４は、複数のセルのうち、無線フレーム及び周波数の同期に用いることが許可されているセルで送信されるＳＳを用いて無線フレーム及び周波数の同期を行うようにしてもよい。また、同期処理部１０４は、外部同期ソースの信号を用いた無線フレーム及び周波数の同期を行うことが許可されている場合に外部同期ソースの信号を用いた無線フレーム及び周波数の同期を行うようにしてもよい。
【０１９０】
また、同期処理部１０４は、基地局からの指示に基づいて、外部同期ソースの信号又はＳＳを用いて無線フレーム及び周波数の同期を行う機能を有する。また、同期処理部１０４は、外部同期ソースを受信可能なエリア外及び基地局のカバレッジ外では、複数の種別のＳＬＳＳの優先順位を示す優先度情報に従い（又は、複数の種別のＳＬＳＳの優先度に従い）、信号受信部１０２で受信された複数の種別のＳＬＳＳのうち、優先度の高い種別のＳＬＳＳを用いて無線フレーム及び周波数の同期を行うようにしてもよい。また、同期処理部１０４は、信号受信部１０２で受信された複数の種別のＳＬＳＳのうち、受信品質（例えば、ＤＭ−ＲＳの受信品質）が所定の閾値以上であるＳＬＳＳを選択し、選択したＳＬＳＳのうち、優先度の高い種別のＳＬＳＳを用いて無線フレーム及び周波数の同期を行うようにしてもよい。
【０１９１】
指示部１０５は、所定の条件を満たす場合に、他のユーザ装置ＵＥに向けてＳＬＳＳを送信するように信号送信部１０１に指示する機能を有する。なお、指示部１０５は、信号受信部１０２により受信された他のユーザ装置ＵＥからのＳＬＳＳが、ＳＬＳＳ（Ｎｏ  ｓｙｎｃ．）である場合であり、かつ、同期処理部１０４が外部同期ソースの信号又はＳＳのいずれか１つを用いて無線フレーム及び周波数の同期を行っている場合、ＳＬＳＳ（外部同期ソースと同期）又はＳＬＳＳ（ＮＷ  ｓｙｎｃ．）を送信するように信号送信部１０１に指示するようにしてもよい。
【０１９２】
また、指示部１０５は、ユーザ装置ＵＥの種別とＳＬＳＳの送信可否とを対応づける送信許可情報と、ユーザ装置ＵＥ自身の種別とを比較し、ＳＬＳＳの送信が許可されていると判断した場合にＳＬＳＳを送信するように信号送信部１０１に指示してもよい。例えば、指示部１０５は、ユーザ装置ＵＥ自身の種別がＲＳＵである場合に限り、ＳＬＳＳを送信するように信号送信部１０１に指示してもよい。
【０１９３】
なお、指示部１０５は信号送信部１０１に含まれるようにしてもよいし、外部同期ソース信号受信部１０３は信号受信部１０２に含まれるようにしてもよい。
【０１９４】
（基地局）
図２２は、実施の形態に係る基地局の機能構成の一例を示す図である。図２２に示すように、基地局ｅＮＢは、信号送信部２０１と、信号受信部２０２と、通知部２０３とを有する。なお、図２２は、基地局ｅＮＢにおいて本発明の実施の形態に特に関連する機能部のみを示すものであり、少なくともＬＴＥに準拠した動作を行うための図示しない機能も有するものである。また、図２２に示す機能構成は一例に過ぎない。本実施の形態に係る動作を実行できるのであれば、機能区分及び機能部の名称はどのようなものでもよい。
【０１９５】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【０１９６】
通知部２０３は、ユーザ装置ＵＥが同期処理を行う際に用いる各種情報（優先度情報、同期情報、ＳＬＳＳの種別を示す識別子、ＰＳＢＣＨに含める情報、無線リソース割当情報、送信許可情報等）を、ＲＲＣ信号、報知情報（ＳＩＢ）、レイヤ１又はレイヤ２の制御信号を介してユーザ装置ＵＥに通知する。また、通知部２０３は、カバレッジ内のユーザ装置ＵＥに対して、ＧＰＳを同期ソースとして優先的に用いるのか、ＳＳを同期ソースとして優先的に用いるのかの優先度を指示する。
【０１９７】
以上説明したユーザ装置ＵＥ及び基地局ｅＮＢの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【０１９８】
（ユーザ装置）
図２３は、実施の形態に係るユーザ装置のハードウェア構成の一例を示す図である。図２３は、図２１よりも実装例に近い構成を示している。図２１に示すように、ユーザ装置ＵＥは、無線信号に関する処理を行うＲＥ（Radio Equipment）モジュール３０１と、ベースバンド信号処理を行うＢＢ（Base Band）処理モジュール３０２と、上位レイヤ等の処理を行う装置制御モジュール３０３と、ＳＩＭカードにアクセスするインタフェースであるＳＩＭスロット３０４と、外部同期ソース信号を受信する外部同期ソース信号受信モジュール３０５とを有する。
【０１９９】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、例えば、図２１の信号送信部１０１及び信号受信部１０２の一部を含む。
【０２００】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＲＥモジュール３０１は、例えば、図２１の信号送信部１０１の一部、信号受信部１０２の一部及び同期処理部１０４を含む。
【０２０１】
装置制御モジュール３０３は、ＩＰレイヤのプロトコル処理、各種アプリケーションの処理等を行う。プロセッサ３１３は、装置制御モジュール３０３が行う処理を行うプロセッサである。メモリ３２３は、プロセッサ３１３のワークエリアとして使用される。また、プロセッサ３１３は、ＳＩＭスロット３０４を介してＳＩＭとの間でデータの読出し及び書込みを行う。装置制御モジュール３０３は、例えば、図２１の指示部１０５を含む。
【０２０２】
外部同期ソース信号受信モジュール３０５は、ＧＰＳ信号を受信し、受信したＧＰＳ信号の復調等を行う。また、外部同期ソース信号受信モジュール３０５は、図２１の外部同期ソース信号受信部１０３を含む。
【０２０３】
（基地局）
図２４は、実施の形態に係る基地局のハードウェア構成の一例を示す図である。図２４は、図２２よりも実装例に近い構成を示している。図２４に示すように、基地局ｅＮＢは、無線信号に関する処理を行うＲＥモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【０２０４】
ＲＥモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＥモジュール４０１は、例えば、図２２に示す信号送信部２０１及び信号受信部２０２の一部を含む。
【０２０５】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図２２に示す信号送信部２０１の一部、信号受信部２０２の一部及び通知部２０３の一部を含む。
【０２０６】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図２２に示す通知部２０３の一部を含む。
【０２０７】
＜まとめ＞
以上説明した実施の形態によれば、Ｄ２Ｄ通信をサポートする無線通信システムにおけるユーザ装置であって、外部同期ソースの信号、基地局から送信された同期信号、又は他のユーザ装置から送信された同期信号を受信する受信部と、同期に用いる信号の優先順位を示す優先度情報に従い、前記受信部で受信された外部同期ソースの信号、前記基地局から送信された同期信号、又は前記他のユーザ装置から送信された同期信号のうちいずれか１つを用いて無線フレーム及び周波数の同期を行う同期処理部と、を有するユーザ装置が提供される。このユーザ装置ＵＥにより、Ｄ２Ｄ通信において外部同期ソースを用いた同期処理を可能にする技術が提供される。
【０２０８】
また、Ｄ２Ｄ信号を送信する送信部であって、前記受信部により受信された前記他のユーザ装置からの同期信号が外部同期ソースの信号又は前記基地局から送信された同期信号とは同期されていないことを示す同期信号であり、かつ、前記同期処理部が前記受信部で受信された外部同期ソースの信号又は前記基地局から送信された同期信号のいずれか１つを用いて無線フレーム及び周波数の同期を行っている場合、外部同期ソースの信号又は前記基地局から送信された同期信号と同期されていることを示す同期信号を送信する送信部を有するユーザ装置ＵＥを提供するようにしてもよい。これにより、ＳＬＳＳ（Ｎｏ  ｓｙｎｃ．）を送信しているユーザ装置ＵＥは、ＳＬＳＳ（外部同期ソースと同期）又はＳＬＳＳ（ＮＷ  ｓｙｎｃ．）と同期することができ、同期精度を高めることができる。すなわち、無線通信システム内の各ユーザ装置ＵＥに、高精度な同期状態がリレーされることになる。
【０２０９】
前記送信部は、当該ユーザ装置の種別がＲＳＵである場合に同期信号を送信し、当該ユーザ装置の種別がＲＳＵ以外である場合は同期信号を送信しないようにしてもよい。これにより、精度の高い同期信号の送信が可能なＲＳＵのみが同期信号を送信することになり、無線通信システム全体で同期精度を高めることが可能になる。
【０２１０】
また、前記送信部は、外部同期ソースの信号に含まれる時刻と、Ｄ２Ｄ信号を送信可能な無線リソースのうちＲＳＵがＤ２Ｄ信号を送信可能な第一の期間及びＲＳＵ以外のユーザ装置がＤ２Ｄ信号を送信可能な第二の期間とを対応づける無線リソース割当情報に基づき、当該ユーザ装置の種別がＲＳＵである場合は前記第一の期間でＤ２Ｄ信号を送信し、当該ユーザ装置の種別がＲＳＵ以外である場合は前記第二の期間でＤ２Ｄ信号を送信するようにしてもよい。これにより、重要度が高い信号を送信する可能性があるＲＳＵで用いられる無線リソースを分離することができ、重要度の高い信号が他の信号と干渉する可能性を軽減することができる。
【０２１１】
また、前記受信部は、複数のセルごとに送信される複数の同期信号を受信し、前記同期処理部は、前記複数のセルのうち、無線フレーム及び周波数の同期に用いることが許可されているセルで送信される同期信号を用いて無線フレーム及び周波数の同期を行うようにしてもよい。これにより、例えば、Ｖ２Ｘ通信のみを許容するようなセルが設けられた場合に、外部同期ソースと同期していない状態で運用されているセルの同期信号が、誤って同期に用いられてしまう可能性を排除することができる。
【０２１２】
また、前記同期処理部は、外部同期ソースの信号を用いた無線フレーム及び周波数の同期を行うことが許可されている場合に外部同期ソースの信号を用いた無線フレーム及び周波数の同期を行うようにしてもよい。これにより、例えばＧＰＳの利用が許可されていないような特定の地域において、ユーザ装置ＵＥは、外部同期ソースによる同期を行わないようにすることが可能になる。
【０２１３】
また、以上説明した実施の形態によれば、Ｄ２Ｄ通信をサポートする無線通信システムにおけるユーザ装置であって、外部同期ソースの信号、基地局から送信された同期信号、又は他のユーザ装置から送信された複数の種別の同期信号を受信する受信部と、前記基地局のカバレッジ内では、前記基地局からの指示に基づいて、前記受信部で受信された外部同期ソースの信号又は基地局から送信された同期信号を用いて無線フレーム及び周波数の同期を行い、前記外部同期ソースのエリア外及び前記基地局のカバレッジ外では、前記複数の種別の同期信号の優先順位を示す優先度情報に従い、前記受信部で受信された複数の種別の同期信号のうち、優先度の高い種別の同期信号を用いて無線フレーム及び周波数の同期を行う同期処理部と、を有するユーザ装置が提供される。このユーザ装置ＵＥにより、Ｄ２Ｄ通信において外部同期ソースを用いた同期処理を可能にする技術が提供される。
【０２１４】
また、他のユーザ装置に向けて同期信号を送信する送信部を有し、前記送信部は、前記同期処理部が外部同期ソースの信号と同期している場合は、外部同期ソースに対応する優先順位の同期信号を送信し、前記同期処理部が基地局から送信された同期信号の信号と同期している場合は、基地局から送信された同期信号に対応する優先順位の同期信号を送信するようにしてもよい。これにより、カバレッジ内で基地局ｅＮＢが行った優先度の指示（ＳＳと同期すべきなのか、又は、外部同期ソースと同期すべきなのかの指示）を、カバレッジ外のユーザ装置ＵＥにも反映させることが可能になる。
【０２１５】
また、以上説明した実施の形態によれば、Ｄ２Ｄ通信をサポートする無線通信システムにおけるユーザ装置が行う信号同期方法であって、外部同期ソースの信号、基地局から送信された同期信号、又は他のユーザ装置から送信された同期信号を受信する受信ステップと、同期に用いる信号の優先順位を示す優先度情報に従い、外部同期ソースの信号、前記基地局から送信された同期信号、又は前記他のユーザ装置から送信された同期信号のうちいずれか１つを用いて無線フレーム及び周波数の同期を行う同期ステップと、を有する信号同期方法が提供される。この信号同期方法により、Ｄ２Ｄ通信において外部同期ソースを用いた同期処理を可能にする技術が提供される。
【０２１６】
＜実施形態の補足＞
なお、各ＳＬＳＳの種別を系列で識別可能にする場合、ユーザ装置ＵＥはＰＳＢＣＨを送信しないようにしてもよい。
【０２１７】
無線フレームの同期は、時間同期（Time Synchronization）と呼んでもよい。
【０２１８】
以上実施の形態の説明で用いた物理チャネル名はあくまで一例であり、本実施の形態は他の物理チャネルにも適用可能である。
【０２１９】
Ｄ２Ｄ信号、ＲＲＣ信号及び制御信号は、それぞれＤ２Ｄメッセージ、ＲＲＣメッセージ及び制御メッセージであってもよい。
【０２２０】
方法の請求項は、サンプル的順序で様々なステップの要素を提示しており、請求項の中で明記していない限り、提示した特定の順序に限定されない。
【０２２１】
以上、本発明の実施の形態は、ＬＴＥ（Long Term Evolution）、ＬＴＥ−Ａ（LTE-Advanced）、ＣＤＭＡ２０００、ＵＭＢ（Ultra Mobile Broadband）、ＩＥＥＥ８０２．１１(Wi-Fi（登録商標）)、ＩＥＥＥ８０２．１６(WiMAX（登録商標）)、ＩＥＥＥ８０２．２０、ＵＷＢ（Ultra-Wideband）、Ｂｌｕｅｔｏｏｔｈ（登録商標）および/または他の適切なシステムを利用するシステムに拡張され得る。
【０２２２】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０２２３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０２２４】
なお、各実施の形態において、ＳＬＳＳ（Ｎｏ  ｓｙｎｃ．）は「外部同期ソースの信号又は前記基地局から送信された同期信号とは同期されていないことを示す同期信号」の一例である。ＳＬＳＳ（ＧＰＳ  ｓｙｎｃ．）又はＳＬＳＳ（ＮＷ  ｓｙｎｃ．）は、「外部同期ソースの信号又は前記基地局から送信された同期信号と同期されていることを示す同期信号」の一例である。
【０２２５】
本特許出願は２０１５年８月１３日に出願した日本国特許出願第２０１５−１５９９８９号、及び、２０１５年１１月５日に出願した日本国特許出願第２０１５−２１８０１０号に基づきその優先権を主張するものであり、日本国特許出願第２０１５−１５９９８９号、及び、日本国特許出願第２０１５−２１８０１０号の全内容を本願に援用する。
【符号の説明】
【０２２６】
ＵＥ  ユーザ装置
ｅＮＢ  基地局
１０１  信号送信部
１０２  信号受信部
１０３  外部同期ソース信号受信部
１０４  同期処理部
１０５  指示部
２０１  信号送信部
２０２  信号受信部
２０３  通知部
３０１  ＲＥモジュール
３０２  ＢＢ処理モジュール
３０３  装置制御モジュール
３０４  ＳＩＭスロット
４０１  ＲＥモジュール
４０２  ＢＢ処理モジュール
４０３  装置制御モジュール
４０４  通信ＩＦ
【図１】
2017026518.tif 000003
【図２】
2017026518.tif 000004
【図３Ａ】
2017026518.tif 000005
【図３Ｂ】
2017026518.tif 000006
【図４】
2017026518.tif 000007
【図５】
2017026518.tif 000008
【図６】
2017026518.tif 000009
【図７】
2017026518.tif 000010
【図８】
2017026518.tif 000011
【図９】
2017026518.tif 000012
【図１０Ａ】
2017026518.tif 000013
【図１０Ｂ】
2017026518.tif 000014
【図１１】
2017026518.tif 000015
【図１２Ａ】
2017026518.tif 000016
【図１２Ｂ】
2017026518.tif 000017
【図１３】
2017026518.tif 000018
【図１４Ａ】
2017026518.tif 000019
【図１４Ｂ】
2017026518.tif 000020
【図１４Ｃ】
2017026518.tif 000021
【図１５Ａ】
2017026518.tif 000022
【図１５Ｂ】
2017026518.tif 000023
【図１５Ｃ】
2017026518.tif 000024
【図１５Ｄ】
2017026518.tif 000025
【図１６Ａ】
2017026518.tif 000026
【図１６Ｂ】
2017026518.tif 000027
【図１６Ｃ】
2017026518.tif 000028
【図１６Ｄ】
2017026518.tif 000029
【図１７Ａ】
2017026518.tif 000030
【図１７Ｂ】
2017026518.tif 000031
【図１７Ｃ】
2017026518.tif 000032
【図１７Ｄ】
2017026518.tif 000033
【図１７Ｅ】
2017026518.tif 000034
【図１８】
2017026518.tif 000035
【図１９Ａ】
2017026518.tif 000036
【図１９Ｂ】
2017026518.tif 000037
【図２０Ａ】
2017026518.tif 000038
【図２０Ｂ】
2017026518.tif 000039
【図２１】
2017026518.tif 000040
【図２２】
2017026518.tif 000041
【図２３】
2017026518.tif 000042
【図２４】
2017026518.tif 000043
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
Ｄ２Ｄ通信をサポートする無線通信システムにおけるユーザ装置であって、
外部同期ソースの信号、基地局から送信された同期信号、又は他のユーザ装置から送信された同期信号を受信する受信部と、
同期に用いる信号の優先順位を示す優先度情報に従い、前記受信部で受信された外部同期ソースの信号、前記基地局から送信された同期信号、又は前記他のユーザ装置から送信された同期信号のうちいずれか１つを用いて無線フレーム及び周波数の少なくとも１つの同期を行う同期処理部と、
を有するユーザ装置。
【請求項２】
Ｄ２Ｄ信号を送信する送信部であって、前記受信部により受信された前記他のユーザ装置からの同期信号が外部同期ソースの信号又は前記基地局から送信された同期信号とは同期されていないことを示す同期信号であり、かつ、前記同期処理部が前記受信部で受信された外部同期ソースの信号又は前記基地局から送信された同期信号のいずれか１つを用いて無線フレーム及び周波数の少なくとも１つの同期を行っている場合、外部同期ソースの信号又は前記基地局から送信された同期信号と同期されていることを示す同期信号を送信する送信部、
を有する、請求項１に記載のユーザ装置。
【請求項３】
前記送信部は、当該ユーザ装置の種別がＲＳＵである場合に同期信号を送信し、当該ユーザ装置の種別がＲＳＵ以外である場合は同期信号を送信しない、請求項２に記載のユーザ装置。
【請求項４】
Ｄ２Ｄ信号を送信する送信部であって、Ｄ２Ｄ信号を送信可能な無線リソースのうち、ＧＮＳＳ（Global Navigation Satellite System）を同期ソースとする同期信号を送信可能な第一のオフセットと、ＳＳ（Synchronization Signal）を同期ソースとする同期信号を送信可能な第二のオフセットとを含む無線リソース割当情報に基づき、
前記第一のオフセットでＧＮＳＳを同期ソースとする同期信号を送信し、前記第二のオフセットでＳＳを同期ソースとする同期信号を送信する送信部、
を有する請求項１に記載のユーザ装置。
【請求項５】
前記受信部は、複数のセルごとに送信される複数の同期信号を受信し、
前記同期処理部は、前記複数のセルのうち、無線フレーム及び周波数の同期に用いることが許可されているセルで送信される同期信号を用いて無線フレーム及び周波数の同期を行う、請求項１乃至４のいずれか一項に記載のユーザ装置。
【請求項６】
前記同期処理部は、外部同期ソースの信号を用いた無線フレーム及び周波数の同期を行うことが許可されている場合に外部同期ソースの信号を用いた無線フレーム及び周波数の少なくとも１つの同期を行う、請求項１乃至５のいずれか一項に記載のユーザ装置。
【請求項７】
Ｄ２Ｄ通信をサポートする無線通信システムにおけるユーザ装置であって、
外部同期ソースの信号、基地局から送信された同期信号、又は他のユーザ装置から送信された複数の種別の同期信号を受信する受信部と、
前記基地局のカバレッジ内では、前記基地局からの指示に基づいて、前記受信部で受信された外部同期ソースの信号又は基地局から送信された同期信号を用いて無線フレーム及び周波数の少なくとも１つの同期を行い、前記外部同期ソースのエリア外及び前記基地局のカバレッジ外では、前記複数の種別の同期信号の優先順位を示す優先度情報に従い、前記受信部で受信された複数の種別の同期信号のうち、優先度の高い種別の同期信号を用いて無線フレーム及び周波数の少なくとも１つの同期を行う同期処理部と、
を有するユーザ装置。
【請求項８】
他のユーザ装置に向けて同期信号を送信する送信部を有し、
前記送信部は、前記同期処理部が外部同期ソースの信号と同期している場合は、外部同期ソースに対応する優先順位の同期信号を送信し、前記同期処理部が基地局から送信された同期信号の信号と同期している場合は、基地局から送信された同期信号に対応する優先順位の同期信号を送信する、請求項７に記載のユーザ装置。
【請求項９】
Ｄ２Ｄ通信をサポートする無線通信システムにおけるユーザ装置が行う信号同期方法であって、
外部同期ソースの信号、基地局から送信された同期信号、又は他のユーザ装置から送信された同期信号を受信する受信ステップと、
同期に用いる信号の優先順位を示す優先度情報に従い、外部同期ソースの信号、前記基地局から送信された同期信号、又は前記他のユーザ装置から送信された同期信号のうちいずれか１つを用いて無線フレーム及び周波数の少なくとも１つの同期を行う同期ステップと、
を有する信号同期方法。
【手続補正２】
【補正対象書類名】明細書
【補正対象項目名】００１２
【補正方法】変更
【補正の内容】
【００１２】
開示の技術のユーザ装置は、Ｄ２Ｄ通信をサポートする無線通信システムにおけるユーザ装置であって、外部同期ソースの信号、基地局から送信された同期信号、又は他のユーザ装置から送信された同期信号を受信する受信部と、同期に用いる信号の優先順位を示す優先度情報に従い、前記受信部で受信された外部同期ソースの信号、前記基地局から送信された同期信号、又は前記他のユーザ装置から送信された同期信号のうちいずれか１つを用いて無線フレーム及び周波数の少なくとも１つの同期を行う同期処理部と、を有する。
【国際調査報告】
2017026518.tif 000044
2017026518.tif 000045
2017026518.tif 000046
2017026518.tif 000047